(57)【要約】【課題】あらゆるデザインアレンジによる、雑貨等の小物や植物を用いて美しい装飾が可能であり、植栽に利用する場合には、水やり、植え替えのいずれも簡単に行えるガーデニング用品ともなる収納ユニットを提供する。【解決手段】収納用の部材であり、可とう性を有する略シート状の素材から成る、支持挿入穴を備えた１以上の構成可撓部材である略筒状の筒状体、または中空の略錐台の筒である錐台筒、または前記筒状体の展開形状である筒状展開、または錐台筒の展開形状である錐台展開であり、前記収納筒材には、重複して係止されることにより径の調整が可能である重複係止部あるいは、支持挿入穴の一部または全部に設けられた穴切り部からなる穴切り足あるいは、別部材の可撓性部材が係止された追加穴足、あるいは支持挿入穴に設けられた凸部または凹部である筒一体スペーサー部あるいは支持材にずれを抑制するために係止可能とする筒位置係止具を備え、支持材に設けることが可能である構成とした。【選択図】図１
2020089356.tif 000002
【特許請求の範囲】
【請求項１】
収納筒材は収納用の部材であり、
可とう性を有する略シート状の素材から成る、支持挿入穴（４９）を備えた１以上の構成可撓部材（１０）である略筒状の筒状体（４８）、または中空の略錐台の筒である錐台筒（４１）、または前記筒状体（４８）の展開形状である筒状展開、または錐台筒（４１）の展開形状である錐台展開（４２）であり、
前記収納筒材には、重複して係止されることにより径の調整が可能である重複係止部（４３）あるいは、支持挿入穴（４９）の一部または全部に設けられた穴切り部（１６７）からなる穴切り足（１６６）あるいは、別部材の可撓性部材が係止された追加穴足（１６５）、あるいは支持挿入穴（４９）に設けられた凸部または凹部である筒一体スペーサー部（１４９）あるいは支持材（１０２）にずれを抑制するために係止可能とする筒位置係止具（１６３）を備え、支持材に設けることが可能であることを特徴とする収納筒材。
【請求項２】
前記錐台筒（４１）が、重複して係止されることにより径の調整が可能である重複係止部（４３）を備えていることを特徴とする請求項１に記載の収納筒材。
【請求項３】
前記筒状体（４８）が、重複して係止されることにより径の調整が可能である重複係止部（４３）を備えていることを特徴とする請求項１に記載の収納筒材。
【請求項４】
構成可撓部材から成る前記錐台展開（４２）が、
略部分円状あるいは略円状であり、前記部分円状あるいは円状の錐台展開（４２）の略中心部に略部分円状または略円状の穴である支持挿入穴（４９）が設けられており、また、重複係止部を備え、前記重複係止部において、前記錐台展開を構成する構成可撓部材を重複して係止することによって、支持挿入穴（４９）の径を可変とすることによって、外径の違う支持材にも対応して設けることが可能であることを特徴とする請求項１に記載の収納筒材。
【請求項５】
構成可撓部材から成る前記錐台展開（４２）が、略台形であり、重複係止部を備え、前記重複係止部において、前記錐台展開を構成する構成可撓部材を重複して係止することによって、支持挿入穴（４９）の径を可変とすることによって、外径の違う支持材にも対応して設けることが可能であることを特徴とする請求項１に記載の収納筒材。
【請求項６】
前記収納筒材が、支持挿入穴（４９）の一部または全部に設けられた穴切り部（１６７）からなる穴切り足（１６６）あるいは、別部材の可撓性部材が係止された追加穴足（１６５）を備えたことを特徴とする請求項１から請求項５のいずれかに記載の収納筒材。
【発明の詳細な説明】
【技術分野】
【０００１】
本発明は、主として植物の育成及び緑化、並びに小物の整理に資する収納具に関し、詳しくは配置領域と配置位置を自由に調整することによって、沢山の植物や雑貨等を用い、これらの配置を自由にレイアウトすることで斬新な装飾が可能であり、且つ、美的緑化の促進や作業効率向上に資する装飾自在な収納器具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、収納スペースの領域や配置場所の形状に合わせ、更には収納位置をアレンジでき、出し入れのし易さまで考慮された収納具は皆無といえる。
【０００３】
また、植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００４】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にショーウィンドウなどの装飾などでは個性溢れるお洒落な植物を用いた装飾を容易に施す技術が求められているといえる。
【０００５】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、挿入口が固定されているため装飾が自由自在とはいえず、前記問題の解決には至っていない。
【０００６】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、スペース確保の問題や装飾した個体を集合させているにすぎず、発明品本体による自由自在な装飾とは言えないため、前記問題の解決には至っていない。
【０００７】
なお、本発明者は、発明の名称を「筒状緑化ユニット」とする技術で特許を受けている。（特許文献３参照）具体的には「少なくとも１以上のケース部材からなり、前記ケース部材は、略長方形であり、幅方向に曲げ可能であり、長手方向に沿った両辺にファスナーのエレメントを持ち、前記エレメントをファスナーのスライダで結合することで前記ケース部材を中空の中空体とし、前記中空体の内部には植物培養基材が投入され、前記スライダは１つのファスナー構造に対して２つ以上設置されており、前記スライダの位置を調整することで、前記ファスナーの一部を開口部とし、前記開口部から前記植物培養基材に対して植物を植付け可能」というものである。しかしながら、複数のファスナースライダーを使用することから、製造上のコストと手間がかかるという問題が残されているといえ、よりシンプルな部材、構造を開発するといった課題も追及すべきといえる。
【０００８】
なお、本発明者は、発明の名称を「複重多目的収納ユニット」とする技術で特許を申請中である。（特許文献４参照）具体的には「可とう性を有する略シート状の素材から成る構成シートは、２重以上に重ねて係止された収納中空領域を設け、前記収納中空領域内に、収納受け型中空領域を備え、前記収納受け型中空領域は収納口である第零収納口または第一収納口を備えるかまたは、備えることが可能であり、外側から２番目の構成シートである外二シートに穴又はスリットである、第二収納口を設けられることによって、第二収納口は前記第一収納領域の収納受け型中空領域から下方へ前記収納物（Ｓ１・Ｓ２）を通過させることで長さの異なる前記収納物（Ｓ１・Ｓ２）でも収納できるように収納中空領域と収納位置を自由に調整することを可能とした。
」というものである。しかしながら、収容物の出し入れの際の開口部の構造に課題あるいは、改善の余地もあり、より広い応用、活用範囲、よりシンプルあるいは多彩な部材、構造、及び、より発展的な部材、構造とその製造方法を開発するといった課題も追及すべきといえる。
【先行技術文献】
【特許文献】
【０００９】
【特許文献１】特開２００１−１８６８１６号
【特許文献２】特開２０００−０４１８１４号
【特許文献３】特許第５４９５１９８号
【特許文献４】特願２０１８−１９４７０５号
【発明の概要】
【発明が解決しようとする課題】
【００１０】
あらゆるデザインアレンジによる、雑貨等の小物や植物を用いて美しい装飾が可能であり、植栽に利用する場合には、水やり、植え替えのいずれも簡単に行えるガーデニング用品ともなる収納ユニットを提供する。
【課題を解決するための手段】
【００１１】
本発明に係る収納筒材は、可とう性を有する略シート状の素材から成る、支持挿入穴（４９）を備えた１以上の構成可撓部材（１０）である略筒状の筒状体（４８）、または中空の略錐台の筒である錐台筒（４１）、または前記筒状体（４８）の展開形状である筒状展開、または錐台筒（４１）の展開形状である錐台展開（４２）であり、
前記収納筒材には、重複して係止されることにより径の調整が可能である重複係止部（４３）あるいは、支持挿入穴（４９）の一部または全部に設けられた穴切り部（１６７）からなる穴切り足（１６６）あるいは、別部材の可撓性部材が係止された追加穴足（１６５）、あるいは支持挿入穴（４９）に設けられた凸部または凹部である筒一体スペーサー部（１４９）あるいは支持材（１０２）にずれを抑制するために係止可能とする筒位置係止具（１６３）を備えている構成を採用する。
【００１２】
また、本発明は、前記錐台筒（４１）が、重複して係止されることにより径の調整が可能である重複係止部（４３）を備えている構成を採用することもできる。
【００１３】
また、本発明は、前記筒状体（４８）が、重複して係止されることにより径の調整が可能である重複係止部（４３）を備えている構成を採用することもできる。
【００１４】
また、本発明は、構成可撓部材から成る前記錐台展開（４２）が、略部分円状あるいは略円状であり、前記部分円状あるいは円状の錐台展開（４２）の略中心部に略部分円状または略円状の穴である支持挿入穴（４９）が設けられており、また、重複係止部を備え、前記重複係止部において、前記錐台展開を構成する構成可撓部材を重複して係止することによって、支持挿入穴（４９）の径を可変とすることによって、外径の違う支持材にも対応して設けることが可能である構成を採用することもできる。  
【００１５】
また、本発明は、構成可撓部材から成る前記錐台展開（４２）が、略台形であり、重複係止部を備え、前記重複係止部において、前記錐台展開を構成する構成可撓部材を重複して係止することによって、支持挿入穴（４９）の径を可変とすることによって、外径の違う支持材にも対応して設けることが可能である構成を採用することもできる。
【００１６】
また、本発明は、前記収納筒材が、支持挿入穴（４９）の一部または全部に設けられた穴切り部（１６７）からなる穴切り足（１６６）あるいは、別部材の可撓性部材が係止された追加穴足（１６５）を備えた構成を採用することもできる。
【発明の効果】
【００１７】
本発明に係る多用途用収納ユニットによれば、屋内、屋外を問わず、比較的狭い設置領域においても多種多様な植物を同時に栽培でき、潅水容易で一時的な移動や設置も可能であることから、育苗や園芸における作業負担の軽減や作業の効率化を図れるという優れた効果を発揮する。
【００１８】
本発明に係る多用途用収納ユニットによれば、沢山の開口部を構成することができ、柱や壁の形状に対応して装着できるので、例えば工場内において作業者が取りやすい位置に存在する壁や柱を利用して工具を収納するための収納ユニットとして利用するなど、場所や環境に対する制限が極めて少なく、あらゆる場所において自由な装飾が可能となるという優れた効果を発揮するものである。例えば吊り下げて使用してもよいし、筒状や、アーチ状等立体的な形状でもよく、ポケットの配置も様々な配置とすることが可能なため、今までにない斬新かつ洗練された植物アレンジが可能であるという優れた効果を発揮する。
【００１９】
本発明に係る多用途用収納ユニットによれば、沢山のポケット状の植栽部が独立していない為、広く根が張れ、根詰まりによる根腐れを抑制でき、上部から一度の水やりにより全体に水を供給することが可能となるという優れた効果を発揮する。
【００２０】
本発明に係る多用途用収納ユニットによれば、可撓性のあるソフトな部材で構成されている為、植栽容器として用いる場合も、車や人とぶつかっても安全、安心であって、駐車場などにおいても、運転の誤操作による、電灯の柱や、壁、柵とのクッション材ともなり、保護にもよく、また、車両自体の傷や破損の抑制にもなるという、優れた効果を発揮する。
【００２１】
本発明に係る多用途用収納ユニットによれば、花の交換の際、取り除く必要のない植物を移動することなく、別のポケットに違う種類の植物を装飾することも可能であり、また種や球根から育てたり、宿根草や多年草など季節が巡ってまた咲くものをそのままにしながら別のポケットの一年草は交換できるという優れた効果を発揮する。
【００２２】
本発明に係る多用途用収納ユニットによれば、構成部材が極めて少なく、またシンプルな構成で製作が容易でコストがかからないといった優れた効果を発揮する。
【００２３】
本発明に係る多用途用収納ユニットによれば、地面に接触させずに空中に吊るす構成として利用することにより、汚染された土壌や水害の影響を受けることなく、単位面積当たりの収穫量を向上させることができるという優れた効果を発揮する。
【図面の簡単な説明】
【００２４】
【図１】本発明に係る多用途用収納ユニットの基本構成説明図である。
【図２】本発明に係る多用途用収納ユニットの基本構成のバリエーションの説明図である。
【図３】本発明に係る多用途用収納ユニットに収納物が収容された構成説明図である。
【図４】本発明に係る多用途用収納ユニットの図１の構成のバリエーションと分割係止の構成説明図である。
【図５】本発明に係る多用途用収納ユニットの構成可撓性部材の両端辺を互いに係止した構成説明図である。
【図６】本発明に係る多用途用収納ユニットの構成ピースを、螺旋状に巻いて設ける構成説明図である。
【図７】本発明に係る多用途用収納ユニットの支持材のバリエーションの構成説明図である。
【図８】本発明に係る多用途用収納ユニットの支持可撓材の構成説明図である。
【図９】本発明に係る多用途用収納ユニットの支持材のバリエーションの構成説明図である。
【図１０】本発明に係る多用途用収納ユニットの支持材のバリエーションの構成説明図である。
【図１１】本発明に係る多用途用収納ユニットの支持材のバリエーションの構成説明図である。
【図１２】本発明に係る多用途用収納ユニットの下方向に窄まる形状の支持材とずれ防止部の構成説明図である。
【図１３】本発明に係る多用途用収納ユニットの支持材が、円錐形状の構成説明図である。
【図１４】本発明に係る多用途用収納ユニットの着脱リブの構成の説明図である。
【図１５】本発明に係る多用途用収納ユニットの筒一体スペーサー部の構成の説明図である。
【図１６】本発明に係る多用途用収納ユニットの径調アダプタの構成の説明図である。
【図１７】本発明に係る多用途用収納ユニットの支持挿入穴の内径が、可変である構成説明図である。
【図１８】本発明に係る多用途用収納ユニットにおけるハチマキ受けの構成説明図である。
【図１９】本発明に係る多用途用収納ユニットにおける支持材が円柱あるいは、円筒の構成説明図である。
【図２０】本発明に係る多用途用収納ユニットの開口入口部が、切り込みを入れることによる構成説明図である。
【図２１】本発明に係る多用途用収納ユニットの開口入口部が、切り込みを入れることによる構成説明図である。
【図２２】本発明に係る多用途用収納ユニットの基台支持ユニットの構成説明図である。
【図２３】本発明に係る多用途用収納ユニットの支持材が、円錐状であるバリエーションの構成説明図である。
【発明を実施するための形態】
【００２５】
本発明に係る多用途用収納ユニット１は、構成可撓部材１０同士が、開口する開口部に雑貨等の物品や植物を植栽するバリエーションを自由にするため、可とう性を有する略シート状の素材から成る上と下の構成可撓部材１０の隙間を開口入口部１２として、係る開口入口部１２の内側または背面に備えられた、収納空間１４である中空領域１１に対して、係る開口入口部１２の下側の構成可撓部材１０の上辺である下シート上辺９が、該係る開口入口部１２において対向して、該開口入口部１２を形成する上シート対向部８よりも長い状態で設けることにより、あるいは、下シート上辺９が、上シート対向部８よりも弛みの大きい状態で設けられることにより、該開口入口部１２を、閉じ難く開口可能であることにより、前記収納空間１４内の収納物によって、前記構成可撓部材１０の背面から圧力がかかっていても、前記開口入口部１２が閉じ難いことによって生まれる効果が発揮されることを最大の特徴とするものである。つまり、例えば、植栽の際には、収納空間１４に収納された培養基材３４の圧力による、係る開口入口部１２への閉じ圧力の軽減、あるいは、培養基材３４や潅水の、係る開口入口部１２からのこぼれを抑制可能とする有用性を発揮するものである。
【００２６】
また、本発明に係る多用途用収納ユニット１は、構成可撓部材１０同士が重なり合い、下シート上辺と上シート下辺とは係止せず、開放に設け、上シート下辺を隣接される構成可撓部材１０により覆うことによって生まれる効果が発揮される構成としてもよい。つまり、例えば、植栽の際には、上シート下辺を隣接される構成可撓部材１０により覆われることによって培養基材３４の土や水のこぼれを、より、防止可能とする有用性を発揮するものである。
【００２７】
以下、図面に基づいて本発明に係る多用途用収納ユニット１について説明する。
但し、図面に示した形状や配置構成等についてはあくまでも代表的な例示であり、その他、本願発明の特徴的な効果が発揮される範囲において変更することを可能であり、また、それぞれの図の例示の構成は、それぞれ他のお互いの図面の構成の例において、応用可能であるものである。
【００２８】
なお、図面の説明において上下左右、水平方向は、図面に表された多用途用収納ユニット１の上下左右、水平方向と同じであり、前面又は前面側とは、正面図の正面側、図１（ｄ）、図１（ｅ）、図１（ｆ）、図２（ｅ）、図３及び図１３（ｃ）に示された左側、図１（ａ）、図２０（ｄ）、図２０（ｅ）、図２０（ｆ）、図２１（ｅ）に示された下側、図２２の斜視図の正面側をいい、背面又は背面側または内側とは図１（ｄ）、図１（ｅ）、図１（ｆ）、図２（ｅ）、図３及び図１３（ｃ）に示された右側、図１（ａ）、図２０（ｄ）、図２０（ｅ）、図２０（ｆ）、図２１（ｅ）に示された上側、をいうこととする。
【００２９】
図１は、多用途用収納ユニット１の基本構成を示し、従来の収納用具と比較して極めて構成要素が少なく、シンプルな部材のみで構成することが可能であることを表している。図１（ａ）は、九十九折り線で示した係止部２０が構成可撓部材１０が、縫製や接着等によって係止されるものであり、係る構成可撓部材１０が連続して複数設けられることで、多用途用収納ユニット１が構成されるものであることを示している。図１（ｂ）は、図１（ａ）の構成における、Ａ-Ａ‘断面図であり、図１（ｃ）は、図１（ａ）の構成の構成可撓部材１０である構成ピース１９の形状の例を示したものであり、図１（ｄ）、図１（ｅ）、図１（ｆ）は、図１（ａ）の構成または、類似の構成の側面方向からの縦断面図を示している。
【００３０】
図１（ｇ）及び図１（ｈ）は、構成ピース１９の形状のバリエーションの例を示したものであり図１(ｉ)は、方形の構成ピースの係止バリエーションの例である。
【００３１】
図１における構成可撓部材１０である構成ピース１９は、例えばテント生地やメッシュ生地等の布状部材を用いた構成可撓部材１０としたもので、これを上下に設けた構成の例である。素材は丈夫で可とう性を有し、壁や柱等に応じて自由に変形するとともに、収納物Ｓ１・Ｓ２の重量に耐えるための強度を有した素材を用いることが望ましい。
【００３２】
また、係る構成ピース１９の寸法や形状については図１（ｃ）のように、係る構成ピース１９の上辺であるピース上辺２９の方が、係る構成ピース１９の下辺であるピース下辺２８と比較して長い構成であり、係る構成ピース１９を図１（ａ）のように、複数の構成ピース１９を係る構成ピース１９の側辺であるピース側辺２７を略平行にして上下に並べて係止することによって、図１（ｂ）のように、ピース上辺２９がピース下辺２８より弛むことにより、開いて設けられることが可能となり、上と下に設けられた係る構成ピース１９において、下側の構成ピース１９のピース上辺２９である下シート上辺９と、係る下シート上辺９と対向した上側の構成ピース１９の最も近い部分である、上シート対向部８の間に形成される開口入口部１２が、閉じた状態になり難い構成である例である。
【００３３】
つまり、下シート上辺９が、上シート対向部８よりも弛みの大きい状態で設けられることにより、係る構成可撓部材１０の背面に備えられた収納空間１４である中空領域１１内の収納物によって、前記構成可撓部材１０の背面から圧力がかかっていても、前記開口入口部１２が閉じ難い構成であり、例えば、収納物が植物である植栽容器とした場合においては、図３（ａ）の構成の例に示される様に、係る収納空間１４に収納された培養基材３４による圧力によって、係る開口入口部１２が閉じ難い、あるいは、上シート下辺７が下シート上辺９より後ろに維持し易い構成であり、培養基材３４あるいは、潅水が外にこぼれ難い構成とすることが可能であり、また、例えば、収容物が図３（ｂ）に示されるような長さのある物差しや、棒、鉛筆などであって、係る上シート下辺７に収納空間１４の内側から係る構成ピース１９に圧力が外側にかかるような場合でも、係る開口入口部１２の開口を保持し易い構成となっており、有用である。
【００３４】
つまり、係る開口入口部の、上方向への開口状態を保持し易い構成であることによる、様々な有用性を擁するものである。
例えば、前記に示された収容物を収納した際の有用性の他に、植物を植栽する場合においては、係る上側に開口した開口部においては、係る開口入口部より上に収容されている培養基材の重量が、直接的にはかからない為、係る植物の植え替えのしやすさであったり、植物の根部への圧力が減ることによる、植物の育成への効果をもたらし、有用である。
【００３５】
尚、図１（ａ）の係る構成可撓部材１０は、一部が重なり合う様に、重畳的に、構成可撓部材１０である構成ピース１９の下辺が隣接される他の構成ピース１９に重なり合う領域１５内で覆われる構成が繰り返して配置される構成であり、係る構成と同等の構成の側面からの縦断面図が、図１（ｄ）の構成の例である。
【００３６】
特に、係る構成可撓部材の一部が重複して設けられる構成においては、中空領域１１内の収納物によって、前記構成可撓部材１０の背面から圧力がかかった場合に、係る開口入口部の開口状態を保持可能で、有用である。
【００３７】
また、係る構成可撓部材が重複しない図１（ｆ）の構成においては、例えば、図３（ｂ）の様に、収容物が長い場合であっても、開口入口部の上シート下辺が係る収容物に押されても下シート上辺の内側で保持可能であり、係る開口入口部の開口状態を閉じずに、保持可能であり、他の収容物の出し入れがし易く、有用であり、また、係る収容物が、植物と培養基材であっても、開口入口部の上シート下辺が係る収容物に押されて下シート上辺の内側で保持可能であり、係る培養基材や潅水のこぼれを抑制可能であり、有用である。
尚、図１（ｅ）は、上下に設けられた構成ピース１９において、係る構成ピース１９が、下シート上辺９と、上シートの下辺である、上シート下辺７と、略水平方向になる様に設けられた構成であり、図１（ｆ）は、係る下シート上辺９と、上シート下辺７が、水平方向に対して、隙間を備えて設けられた構成の例である。
【００３８】
図１（ｇ）及び図１（ｈ）は、図１（ｃ）におけるピース上辺２９の形状が曲線である構成の例であり、図１（ｇ）は、係るピース上辺２９が弧状であり、図１（ｈ）は波線状である構成の例であり、係るピース上辺２９の形状は、その他の曲線状でも、折れ線状でも、斜め線でもよく、特に限定しない。また、ピース下辺２８の形状についても、ピース上辺２９と同様に、特に限定はしない。
【００３９】
図１(ｉ)は、方形の構成ピースの場合の本発明に関する構成の係止箇所を、破線の九十九折り線で示しており、上下が開放な下すぼまりの台形形状の部分を、図１（ａ）の様に略平行に係止することによって、上シート下辺が下シート上辺より弛みを持たせることが可能な構成の例である。
【００４０】
図１の構成における収納空間１４は、開口入口部の背面あるいは内側の、構成可撓部材１０と基台シート３０に囲まれた中空領域１１であり、また、各構成ピースは、ピース上辺及び、ピース下辺が開放に設けられており、各構成ピース背面の中空領域11である収納空間は、各それぞれの構成ピースの背面の収納空間が繋がっている構成である。
基台シート３０は、構成可撓部材１０と同じ素材を用いてもよいし、曲げた状態を保持するような塑性特性や、元の状態に戻る弾性特性を備えた材料等を用いることが考え得る。係る特性を有することにより、例えば、全体の両側端部を係止することによって得られるリング状収納型又は両面収納型等の利用体型に合わせて選択し、壁や柱などに設置する場合の基台としての機能を十分に発揮できる形状、大きさ、厚みとする。
【００４１】
また、基台シート３０は、複数の構成可撓部材１０同士が他の構成可撓部材１０と重なり合う領域１５によって覆われる構成が連続してできた全体の形状の背面に対応する大きさで、又はそれを超える大きさの構成可撓部材１０と同様の布状素材からなる基台である。なお、収納物Ｓ２に植物を植栽する場合には、構成可撓部材１０及び基台シート３０の素材は、樹脂製のフィルムやシートなどの水密性を備えたものを選択することが望ましいが、屋外の使用等使用条件によってはその限りではなく、麻布のような自然な素材が望ましい場合もあり、例えば、イベントやワンシーズン等、短期使用の想定においては、耐候性を考慮しない素材でも良い。
【００４２】
また、図面には示していないが、係る複数の構成ピース１９の背面に設けられた基台シート３０の代わりに、係る複数の構成ピース１９の背面に、同様の複数の構成ピース１９を設けることによって、両面に収納口である、開口入口部１２を備えて、どちらからでも収納物を収納可能な構成としても良い。
【００４３】
開口入口部１２は、雑貨などの物品を収納する場合や植物を植栽する場合などの収納空間１４への入口である収納口であり、様々な用途に応じて対応することができる。
【００４４】
収納空間１４は、各構成可撓部材１０の開口入口部１２から収納物Ｓ１・Ｓ２を収納できる領域ともなり、また植物を収納する場合においては係る収納空間１４内に育苗のための土壌等の植物培養基材３４を充填する領域とすることもできる。また、係る収納空間１４は、構成可撓部材１０の背面あるいは、内側において、係る開口入口部１２の下及び上にも連なる中空領域１１であって、複数の開口入口部１２を備えた構成においては、係る中空領域１１である収納空間１４は、同一の中空領域１１として繋がっており、同一の中空領域１１において、複数の開口入口部１２を備えているものであり、特に、上下に係る開口入口部１２を備えた構成においては、同一の収納空間１４に、複数の開口入口部１２から、複数の長さの違う収納物でも収納可能な構成である。
【００４５】
重なり合う領域１５は、各構成可撓部材１０において前面に配置される他の構成可撓部材１０の背面と重なり合う部分をいう。  
係止部２０は、構成可撓部材１０あるいは基台シート３０が重なる領域において縫製、接着、溶着等の結合手段により固結された領域内においてその一部又は全部を係着されるともに、収納物Ｓ１・Ｓ２を収納する際、左右をガイドし、また最下段１６の底部において収納物Ｓ１・Ｓ２が下方へ落下しないよう、構成可撓部材１０の両端部を繋ぐように係止部２０を設けることも有効である。但し、収納物Ｓ２が植物である場合には縦方向の構成可撓部材１０の両端部の内側においても係止部２０を設けることが望ましく、その数や長さについては特に限定するものではない。
【００４６】
構成ピースは、構成可撓部材の一形態であり、構成可撓部材同等の可撓性を備えた材質から成り、１以上の構成ピースを巻くか、組み合わせて設けることによって、１つの多用途用収納ユニットを構成するものである。
【００４７】
図２は、図１と同等の構成の多用途用収納ユニット１について、図１（ｃ）と同等形状の構成ピースのピース側辺を、図１の構成のように略平行には、係止しない構成の例であり、図２（ａ）は、係る構成の正面図、図２（c）は、斜視図、図２（ｂ）は、係る構成ピースの形状の例、図２（ｄ）は、係止部が断続的に設けられている構成の例である。
【００４８】
図２（ｅ）は、係る構成の側面からの部分断面図である。
【００４９】
図２の本発明に係る構成においては、基台シートの横幅よりも長いピース上辺２９を、略係る基台シート３０と同等の幅に合わせて弛ませ、また、ピース下辺２８も必要に応じて弛ませ、基台シート30にピース上辺29とピース下辺２８を開放にピース側辺部を係止した構成である。
係る構成によって、図１同様の効果と合わせて、例えば、特に係る収容物が植物の場合、１つの構成ピースごとに下方向にすぼまっている形状であることによって、土等の培養基材の下の収納空間への重量圧力を緩和しつつ、且つ、植栽した植物の根は、下へ広がることが可能である為、根詰まりによる根腐れを防止可能で、有用である。
【００５０】
また、ピース側辺の係止部分は、図２（ｄ）の様に、ピース側辺の上部と下部だけの様に、断続的でもよく、上下に複数並んだ構成ピースは、それぞれの構成ピースが上下への開放部分を備えて、連通した収納空間を備えた収納ユニットを構成するものである。
【００５１】
図３は、図１と同等の構成の多用途用収納ユニット１の収納物（Ｓ２）が植物である構成である図３（ａ）と、図３（ｂ）は、収納物（Ｓ１）が文具等小物雑貨の例として、長尺である収納物（Ｓ１）である物差し、あるいは棒、あるいは鉛筆である構成の例である。
図３（ａ）においては、上下に設けられた構成ピース１９の上シート下辺７と下シート上辺９とが水平方向に対して重複していない構成の例であり、つまり、図１（ｆ）同等の構成ピース１９の配置となっている。
【００５２】
尚、図中の複数のドット模様の領域が、培養基材３４であることを示しており、係る培養基材３４内にて、植物である収納物S2の根３５が広がる構成である。
【００５３】
収納空間１４に収納された培養基材３４や潅水は、係る構成ピース１９の上シート下辺７と下シート上辺９とが水平方向に対して重複していない距離が開けば開く程、こぼれ易くなり、図１（ｄ）のように、重複して設けられることにより、係る培養基材３４や潅水は、こぼれ難くなる。一方、開口入口部１２を広く設けることができる。
【００５４】
また、上シート下辺７に対して、下シート上辺９が前側に出れば出るほど、同様に係る培養基材３４や潅水は、こぼれ難くなり、例えば、図１（ｅ）の構成の例の様に、上シート下辺７と下シート上辺９とが略水平方向に設けられた場合においても、下シート上辺９が前に出れば出るほど、係る培養基材３４のこぼれは少なくなることとなり、それは、図１（ｆ）の構成においても同様である。
また、図１（ａ）の基台シート３０には、水を受ける、3つの受け部６が設けられており、上から潅水された水の一部は、係る受け部６に受けられて保持されることによって、係る多用途用収納ユニット１の上側と下側における水の保持量と保持期間の条件を、より、均一化することが可能となり、植物の安定的な生育上、有用である。
【００５５】
また、植栽する植物によって、比較的乾燥を好む植物を植栽する場合においては、係る受け部６に、培養基材３４を入れずに、閉じた状態にしておくことによって、潅水された際にも、係る受け部６で水が受けられず、下へ落ちていくので、培養基材３４の水分量の調整をすることも可能である。
【００５６】
図３（ｂ）は、３本の長さの違う長尺である収納物（Ｓ１）が、開口入口部１２から収納空間１４に挿入された構成であり、収納空間１４に挿入された長尺の収納物（Ｓ１）は、その長さに応じて、基台シート３０に設けられた３つの受け部６にて、収納物の下側の端を支持されて、収納された構成となっている。
尚、係る受け部6は、構成可撓部材１０である下から二つ目の構成ピースにも設けられており、係る構成ピースに設けられた受け部６にて収納物を保持しても良く、その場合、更に短い収納物も保持可能であり、収納物の長さの自由度が増え、有用である。
【００５７】
係る構成によって、長さの違う収納物であっても、同じ開口入口部１２から、収納可能である構成となっている。
尚、図３（ｂ）においては、構成ピース１９の下シート上辺９と上シート下辺７との位置関係が、図１（ｆ）同等に、水平方向に隙間を設けて配置されている。
【００５８】
係る構成ピース１９が、図１（ｄ）の様に、水平方向に重複した場合と比較して、図１（ｄ）の有用性は、開口入口部１２をより多く設けることができるので、収納物の仕訳がし易いという点、あるいは、収納された内部が見えず、外観上、より、美観的であるという点があげられる。
【００５９】
一方、図１（ｆ）の構成の有用性は、収納空間１４内が見えるので、収納物の長さに応じて、係る収納物の下端を挿入する受け部６を、見ながら収納することが可能であり、収納し易いという点や、取り出す収納物の長さを係る隙間から確認しながら取り出せるという点や、開口入口部１２を大きく設けることができるので、より多くの収容物や大きい収容物を収容可能であるという点があげられる。
【００６０】
尚、係る受け部６は、構成可撓部材１０と同様の可撓性シートを係止して設けても良いし、その他の可撓性のある素材を用いても良いし、吸水性のシートでも良いし、金属やポリプロピレン等のプラスチックでも良いし、係る素材は、その他、本願発明の特徴的な効果が発揮される範囲において変更することを可能であり、限定しない。
また、係る受け部６が設けられる場所も、収納空間１４内の必要に応じた場所あればよく、限定せず、本構成においては、基台シート３０に設けられているが、受け部６は、構成可撓部材１０に設けられていても良いし、支持材１０２に設けられていても良いし、基台支持ユニット４０に設けられても良く、その他、本願発明の特徴的な効果が発揮される範囲において変更することを可能であり、限定しない。
【００６１】
図４は、図１の構成のバリエーションの例であり、図４（ａ）、図４（ｂ）、図４（ｃ）は、主に分割係止の構成のバリエーションの例である。
【００６２】
図４（ａ）は、図１（ａ）と同等の構成の例において、横方向に分割係止部２１が設けられている構成の例であり、本発明に係る構成可撓部材１０内において分割する分割構成説明図である。図４（ａ）は、横方向に係止部２０を設ける構成であり、例えば中間に位置する構成可撓部材１０に分割係止部２１を設けることによって、例えば園芸用の植物を開口入口部１２から収納空間１４内の方へ挿入し、開口入口部１２に充填された植物培養基材３４によって安定した状態とする。係る状態において、植物培養基材３４が全て下方へ落下してしまうことを防止するため、横方向に横架させる分割係止部２１を設ける構成も有効である。なお、図４（ａ）は、横方向に分割することで異なる種類の物品を収納したり、或いは植物の植栽する構成において、一括した水分管理や栄養管理、若しくは受光管理など多様な目的に対応した分割構成が実現できることを示している。図には示していないが、雑貨等を収納する場合において上段と中段と下段とに其々分割し、上段には筆記用具、中段にはお菓子、下段には手帳など、様々な収納物Ｓ１・Ｓ２の種類に分けて自由に収納することができる構成であることを示している。
【００６３】
分割係止部２１は、縦方向又は横方向の何れにおいても係支部２０を備えることで、一方向に配置されるポケットなどの代わりとなり、また縦方向に長い構成を採用した場合では、例えば収納空間１４が大きい場合にはたくさんの植物培養基材３４を当該開口入口部１２内に充填することができ、内部に充填した植物培養基材３４が底部へ流れ落ちてしまうことを回避するために必要である。また縦方向の分割は、小物や小さな植物など分割して保持させることが可能であり、係る仕切りを多数設けることによって収納数を増設する態様なども有用である。本発明は、開口入口部１２の貫通する開口部を有するため、保持されずに開放された底部に抜け落ちてしまうことがある。そのため、横方向のストッパーが必要であり、横方向全ての分割係止部２１を設けると植物を育てるための水の行き場が失ってしまうため、根腐れの原因ともなりかねない。そこで、小さな穴部１２１を設けて水抜き等をすることもできるようにすることも必要である。なお、図面上では波線を用いて比較的長く示しているが、係る長さは必要に応じて短くしたり或いは点状の分割係止部２１としてもよい。
【００６４】
図４における水抜き穴１７は、具体的に部材等に穴を開けるのではなく、構成可撓部材１０と他の構成可撓部材１０若しくは構成可撓部材１０と基台シート３０の係止部２０の横方向に横架する係止部２０において、左右の係止部２０の間に係止しない部分を設けることによって形成される、水抜き用の開口部の例であり、その他、係る構成可撓部材１０あるいは基台シート３０に切り込みを入れて水が抜け出る構成としても良く、係る水抜き穴は、係る収納空間１４内から、水を排出する為の穴であればよく、その他、本願発明の特徴的な効果が発揮される範囲において変更することを可能であり、限定しない。
【００６５】
図４（ｂ）は、本発明に係る全体構成において一部の構成可撓部材１０のうち、左右両辺の間であって、各構成可撓部材１０の前面に配置される他の構成可撓部材１０と重なり合う領域１５の一部又は全部を縦方向に係止することにより、より多彩な収納レイアウトを創出させることが可能である、縦方向の分割係止部２１を示している。即ち、収納領域内において特定の場所を選択し、係る場所へ収納物Ｓ１・Ｓ２の大きさに合わせて収納することが可能であることを示しており、本発明の特徴である自由な配置構成を実現させる構成を示している。
【００６６】
図４（ｃ）は同様に縦の分割係止部２１を設けた構成の例であり、係る分割係止部２１が、シート上辺が斜めである複数の構成ピース１９の中央を連続的にまとめて係止している構成である。
尚、分割係止部２１は、２以上の構成可撓部材１０同士だけを係止しても良いし、構成可撓部材１０と基台シート３０とを合わせて係止しても良い。
【００６７】
図５は、構成可撓部材１０または構成ピース１９の一方の端辺であるピース側辺２７と他方の端辺であるピース側辺２７を係止することで収納空間１４を設ける構成の例である。
係る構成においては、側面のどこからでも収納物を収納することが可能な開口入口部１２を設けることが可能であり、例えば、長さ自由な収納物を周囲のどの部分からも収納することが可能である構成の一つとなる。
【００６８】
図５（ａ１）及び図５（ａ２）は、構成可撓部材１０である構成ピース１９の形状の例であり、係る構成ピース１９は、本図の以下の説明に関する円錐台形状の錐台筒４１の展開形状である錐台展開４２を示しており、係る錐台展開４２は、ピース上辺２９がピース下辺２８と比較して長い錐台筒４１の錐台展開４２であり、図５（ａ１）は略円状の部分円型の中心部に部分円状の穴である支持挿入穴４９が設けられており、係る外円である外形縁４７が係る錐台筒４１のピース上辺２９を構成し、内側の部分円の穴の円周が、係る錐台筒４１の下辺を構成するものである。係る錐台展開４２のピース側辺２７を互いに係止することによって、図５（ｂ）に示される、錐台筒４１を構成することが可能となるものである。尚、図面には示していないが、係る部分円状は、円状として係る支持挿入穴４９から、外形縁４７まで、切り込みを設けた構成としても良く、係る切り込みにて形成されたピース側辺２７から、係る構成ピース１９の一部を互いに重複させて係止することによって、係る錐台筒４１を構成する仕様としても良い。また、係る錐台筒４１あるいは錐台展開４２の構成は、筒状の構成である、筒状体あるいは、係る筒状体の展開形状を成す展開部材である、筒状展開においても、同様の構成としても良い。
【００６９】
図５（ａ２）の係る錐台展開４２は、円の略中央に、穴である支持挿入穴４９が設けられている構成として、係る支持挿入穴４９から、外形を形成する外形縁４７まで折り込みを入れて係止する、タック加工をする構成とすることによって、錐台筒４１を構成する仕様としても良い。
尚、係る図５（ａ１）及び図５（ａ２）の錐台展開４２におけるピース側辺２７あるいはピース側辺２７から構成ピース１９を部分的に重複させて係止させる構成あるいは、タック加工にて係止させる重複係止する構成であり、また、係る係止部２０である重複係止部４３を、着脱可能に係止することによって、また、係る重ね合わせ量を変えることが可能である構成とすることによって、係る錐台筒４１の下シート上辺９あるいは上シート対向部８の長さや傾きを自由に調整することが可能となり、有用である。
尚、係る図５（ａ２）の錐台展開４２は、錐台筒41としても良い。
【００７０】
図５（ａ１） 及び図５（ａ２）の点線で囲われた部分が、重複して係止可能な重複係止部４３である。
係る重複係止部４３は、縫製でも溶着でもステープラでもリベットでも紐でも面ファスナーでもファスナーでもボタンでもホックでもビス止めでもクリップでも磁石でもベルトでも良く、その他、本願発明の特徴的な効果が発揮される範囲において変更することを可能であり、限定しない。
【００７１】
図５（ｂ）は、係る構成ピース１９の両側の二つのピース側辺２７同士を互いに係止することによって、係るピース上辺２９によって構成される上側の周の方がピース下辺２８によって構成される下側の周と比較して長い中空状で円錐台形状をした構成可撓部材１０である錐台筒４１の例である。
係るピース側辺を係止する際に、一部を重複させて係止することによって、係る錐台筒４１の上辺あるいは下辺の長さを変えた錐台筒４１とすることも可能であり、係る径の寸法の違う錐台筒４１を組み合わせた構成の有用性は、図５以降の図面でも記述しており、有用である。
【００７２】
尚、係る図５（ｂ）においては、係る両方のピース側辺を係止して、錐台筒を形成する構成を示しているが、図面には示していないが、他の各図面の構成の構成可撓部材においても、係る構成可撓部材１０の両端を、互いに係止することによって、収納空間を設ける構成としても良い。
【００７３】
図５（ｃ）は、複数の係る錐台筒４１を、一部が重なる様にして重複させて、互いに係止した構成の例であり、３つの錐台筒４１は、手前の２か所の係止部２０にて互いに係止された構成の例である。
係る、錐台筒４１同士の係止部２０は、本図においては、それぞれの錐台筒４１同士の組について、一組の錐台筒４１同士について１か所の係止であるが、係る係止部２０は、２か所以上でも良い。
【００７４】
図５（ｄ）は、図５（ｃ）の連結された錐台筒４１について、係る係止部２０が、帯状の紐を介して係止され、係る最下段の錐台筒４１の下辺を係止して底部を設け、把手３９を設けた構成によって、吊り下げ式の本発明における多用途用収納ユニット１の構成の例である。
係る係止部２０が、係る紐を介して係止されることによって、係る錘台筒の間隔を多少開けても、係る錐台筒を互いに係止可能となる構成である。
尚、係る底部は、係る錐台筒４１の下辺の内径に合わせた構成可撓部材１０を係止して底部を設けても良いし、係る内径よりやや大きい円状の板材を設けて底部としても良いし、最下段の錐台筒４１を、略円錐状に形成した構成ピース１９としても良いし、係る円形の錐台筒４１の下辺を潰して、係止しても良く、その他、本発明の特徴的な効果が発揮される範囲において変更することを可能であり、限定しない。
また、係る錐台筒４１は、１枚の構成ピース１９の二つのピース側辺２７を係止して構成した例であるが、その他、エラストマー樹脂やラバー素材、ビニール素材を、射出成型や真空成型、直圧成形等で一体的に成形しても良く、係る素材や成型方法について、その他、本願発明の特徴的な効果が発揮される範囲において変更することを可能であり、限定しない。
また、係る錐台筒４１についても、本図の構成の例においては、円錐台形状であるが、角錐台形状でも良い。
また、下段の錐台筒４１程、径の大きな錐台筒４１とするなど、錐台筒41のサイズを変えて設ける構成としても良い。
【００７５】
また、係る錐台筒４１は、図７に示されるような円筒あるいは角筒等の貫通した略筒状の筒状体４８として、下段の筒程、径の大きな筒としても良く、また、図面には示していないが、係る筒状体または、筒状展開に、重複係止部４３を備えて、係る筒状体の径を、変更可能な構成としても良い。
【００７６】
また、係る錐台筒４１または筒状体４８は、硬質な、あるいは、ソリッドな素材である構成とすることも可能で、係る構成においては、鉄等の金属、ポリプロピレン、ポリエチレン等の樹脂、ウレタン等のゴム素材、陶磁器、ガラス素材、木でも良く、その他、本願発明の特徴的な効果が発揮される範囲において変更することを可能であり、限定しない。
【００７７】
図５（ｅ）は、係る錐台筒４１の形状が、一方向の面が略垂直に立ち上がった、偏った形状をしている略錐台の錐台筒４１を構成する錐台展開４２であり、係る錐台展開４２の側辺を係止することによって、図５（ｆ）の様な偏った形状の錐台筒４１を構成され、係る錐台筒４１を、図５（ｇ）の様に上下に設けることが可能である。
特に、係る偏った形状の錐台筒４１であることによって、下シート上辺９の突き出し部分が大きくなり、開口入口部１２が大きくなり、収納物を収納しやすくなったり、あるいは、係る突き出した部分に植栽可能であるという有用性がある。
また、係る偏った形状の錐台筒４１においても、図５（ａ１）の円錐台形状の錐台筒４１同様、重複係止部４３を備えて、係る径を調整可能な構成としても良い。
また、錐台展開４２は、２つ以上の錐台展開４２を組み合わせて、錐台筒４１を構成しても良い。
【００７８】
図６は、本発明に係る多用途用収納ユニット１に長尺の構成可撓部材１０である構成ピース１９を、螺旋状に巻いて設ける構成の例であり、図６（ａ）は、係止部２０にて、螺旋状を保持された構成であり、図６（ｂ）は、支持材１０２に設けられた構成の例であり、図６（ｃ）は、係る支持材１０２が、下方向に広がっていく末広がりであり、係る支持材１０２に、下方向に末広がりに構成可撓部材１０が設けられた構成を示している。図６（ｅ）及び図６（ｆ）は、係る構成ピース１９の説明の為の図面である。
【００７９】
図６（ａ）は、構成ピース１９が、長尺の帯状の螺旋状であり、係る巻かれる様に設けられた構成ピース１９が、一部を重複して、重畳的に設けられている構成であり、係る螺旋状の構成ピース１９は、下シート上辺９を構成するピース上辺２９が上シート下辺７を構成するピース下辺２８に対して上側になる様に螺旋状に設けられていることにより、係る構成ピース１９の面が、ピース上辺２９からピース下辺２８に向かって、斜めの斜面を構成する様に設けられている構成を示している。
係る構成とすることによって、隣り合う下シート上辺９と、上シート対向部８の間の開口入口部１２の開口を保持可能とする構成である。
【００８０】
尚、係る螺旋状の多用途用収納ユニット１は、図５（ｃ）同様、上下に隣り合う構成ピース１９が、係止部２０にて互いに係止されることによって、係る螺旋形状を保持する構成であり、例えば、図５（ｄ）の様に、把手３９と底部を設けた構成の多用途用収納ユニット１とすることができ、有用である。
【００８１】
図６（ｃ）は、前記支持材１０２が、下方向に広がっていく末広がりに設けられた構成であり、長尺の可撓性のあるシート状の構成可撓部材１０あるいは構成ピース１９が螺旋状に巻いて設けられ、係る巻いた一周分の径が下に設けられる構成可撓部材１０あるいは構成ピース１９である程、大きく、上下に前記構成可撓部材１０あるいは構成ピース１９が設けられ、且つ、前記開口入口部１２の前記下シート上辺９が、上シート対向部８あるいは上シート下辺７よりも一周の長さが長い構成であり、係る構成によって、開口入口部１２が閉じ難い構成となっている。
係る構成においては、複数本の棒状の支持材１０２が、下方向に広がっていく末広がりに設けられている構成であり、係る構成によって、構成可撓部材１０である構成ピース１９を、必要に応じて、どの高さにでも自由に設けることが可能であり、つまりは、係る構成ピース１９の幅や重複するか否か等、自由に設定可能であり、自由度が高く有用である。
【００８２】
本発明に係る多用途用収納ユニット１は、可とう性を有する略帯状の形状からなる一つの長尺な帯体の構成可撓部材１０によって全体が構成される。係る構成は、前記の構成可撓部材１０を重畳的に配置する構成と比較して、帯状部材を一回切断することで構成部材の略全体を得ることができる点で、製造し易い好適な構成といえる。
【００８３】
また、本図の構成の例においては、支持材１０２は棒状の支持材１０２が４本であるが、係る支持材１０２は、２本でも良いし、もっと多くても良いし、また、板状でも良く、下方向に広がっていく末広がりであり、係る支持材１０２への構成ピース１９の支持する箇所が、連続的に、どの位置にでも支持可能な構成であるものであり、必要に応じて自由に、構成ピースを設ける高さを設定可能で、有用である。
【００８４】
図６（ｄ）及び図６（e）は、図６（ａ）あるいは図６（ｂ）を螺旋状に形成する、構成可撓部材１０である構成ピース１９の例の説明の為の図面であり、図６（ｅ）が、係る螺旋状の構成ピース１９の例であり、係る構成ピース１９の例は、図６（ｄ）に示されるように、中央に穴が設けられた部分円または円に切り込みを入れたピース側辺２７にて、複数連結することによって、形成されて形作られた螺旋状の構成ピース１９である。
尚、係る構成ピース１９は、本図説明では、複数の構成ピース１９を螺旋状に連結して形成する例であるが、例えば、射出成型等で、一体的に成形しても良い。
【００８５】
また、図６（ａ）及び図６（ｂ）に示される構成ピース１９は、下シート上辺９が上シート下辺７を覆う様にして、上側の構成可撓部材１０の一部と重複するようにして設けられており、また、図６（ｃ）は、下シート上辺９が上シート下辺７を覆わず、上側の構成可撓部材１０の一部と重複しないように、螺旋状に設けられている構成であるが、それぞれ説明用にその一例として係る構成可撓部材１０の配置にて説明しているにすぎず、それぞれの構成の例において、必要に応じて、一部が重複しても良いし、重複しないように設けても良いし、係る重複の量も限定しないし、下シート上辺９と上シート下辺７の距離も必要に応じて設定すればよく、限定しない。
【００８６】
係る巻いた状態に構成可撓部材１０を設ける構成における係止部２０は、巻かれた帯体の構成可撓部材１０の全体の形状を維持するとともに、開口入口部１２を区画して収納物Ｓ１・Ｓ２を保持するなどの機能を発揮するものである。但し、前記構成可撓部材１０の構成とは異なる注意点として、複数の係止部２０をどの位置にどのくらい設けるかという配置構成を考慮しなければならない。特に、螺旋状に巻くことで全体を形成する構成を採用する場合では、帯体の構成可撓部材１０の両端のみを係止するだけでは全体の形状が崩れ易くなり、また、その間の螺旋状の下シート上辺９と上シート対向部８の間の全てが開口入口部１２となるため、収納物Ｓ１・Ｓ２を収納することによる部分的な変形が、全体形状へ大きく影響することとなる。そこで、帯体の構成可撓部材１０の幅と重なり合う領域１５や開口入口部１２との割合、帯体の構成可撓部材１０である構成ピース１９が螺旋状に巻かれる一巻き当たりの直径、更には帯体の構成可撓部材１０の素材等との関係から総合的に考慮して、係止部２０の数と位置について決定する。
また、係る係止部は、図５（ｄ）の様に、紐を介して係止しても良い。
【００８７】
また、係る構成可撓部材１０を巻いた状態に設ける構成の収納空間１４は、巻いた状態に配置した構成可撓部材１０によって形成された略円筒の内部領域をいい、多用途用収納ユニット１の利用態様としてはそのまま円筒状の形状を利用し、３６０度方向の何れからも収納物Ｓ１・Ｓ２を収納できる構成としたり、略円筒形状から前面と背面を有する平面的な形状として前面側の帯体の構成可撓部材１０と背面側の帯体の構成可撓部材１０との間の収納空間１４を造る構成としたりすることが考えられ、更には略楕円状に変形させその長手方向を両端とする間に縦方向の係止部２０を設けることで、該係止部２０の数に応じて該係止部２０毎の両側にそれぞれ独立した縦方向の開口入口部１２を複数構成することも可能である。
【００８８】
具体例として、例えば、螺旋状に配置した帯体の構成可撓部材１０によって得られた本発明に係る多用途用収納ユニット１を潰して、縦方向の係止部２０を上下間を繋いで２ヵ所設けると、図１に示したものと同様な形状となる。
【００８９】
また、本発明に係る多用途用収納ユニット１の利用態様として、図９で示される様に、収納空間１４に植物培養基材３４や植物培養土を充填し、植物育成又は植物による装飾ユニットなどとして利用することも有効である。係る利用態様に用いる場合には、開口入口部１２からポット苗等を土のついたまま挿入し、育成によって伸びる根３５を収納空間１４に収納された植物培養機材まで広げる領域とする構成も有効である。係る構成では、収納空間１４上部から水を供給することで、各開口入口部１２から植栽された植物の根３５に潅水可能であり、水の無駄の少ない効率的な活用と、根詰まりによる根腐れ防止と、狭いスペースでも沢山の植物、野菜を栽培可能で、根野菜等でも栽培可能な植栽容器とすることができ、有用である。
尚、支持材は、構成可撓部材の位置を保持する機能を有するものである。
【００９０】
図７は、図６（ｃ）における下方向に広がっていく末広がりに設けられた支持材１０２に、図５に示さられるような錐台筒４１または筒状体４８を 設けた構成の例である。
図７（ａ）が係る筒状体４８であり、図７（ｂ）が錐台筒４１の構成の例であり、係る筒状体４８及び錐台筒４１は、ピース側辺２７が無い構成の例であり、一体で成形された筒状体４８と錐台筒４１の構成の例であるが、係る錐台筒４１または筒状体４８は、図５の構成と同等の錐台筒４１または筒状体４８を設けても良い。
【００９１】
図７（ｃ）は、図６（ｃ）同様に、支持材１０２が下方向に広がっていく末広がりに設けられた構成であり、 図７（ｄ）、及び 図７（ｅ）の構成の説明の為の支持材１０２の例であり、４本の支持材１０２が、下方向に広がっていく末広がりに係る支持材１０２が設けられて底部を形成する、支持底６０に設けられた構成である。
【００９２】
図７（ｄ）は、係る支持材１０２に、図７（ａ）の構成の径の違う筒状体４８が４つ縦方向に設けられている構成であり、
図７（ｅ）は、図７（ｂ）の構成の径の違う錐台筒４１が３つ縦方向に設けられている構成であり、
支持材１０２が下方向に広がって末広がりに設けられていることにより、上から係る支持材１０２を巻くようにして、係る錐台筒４１または筒状体４８を挿入するようにして、係る内径の違う錐台筒４１または筒状体４８を係る支持材１０２に設けることによって、係る錐台筒４１または筒状体４８が、その内径の違いによって係る支持材１０２に設けられる高さを自由に容易に調整でき、上方からでも収納物を収納可能な開口入口部１２を設けることができる構成である。
【００９３】
係る構成は、例えば、係る支持材１０２が下方向に広がる角度を大きくすることによって、同じ径の差の二つの錐台筒４１または筒状体４８を設けても、係る二つの錐台筒４１または筒状体４８が設けられる高さの差や、重なり具合を調整することが可能であり、係る支持材１０２の設けられる角度を可変にしたり、あるいは、係る錐台筒４１または筒状体４８の径を可変にすることによって、更に、係る自由度が増す構成となり、有用である。
【００９４】
図７（ｆ）は、係る支持材１０２が鎖である構成の例の断面図であり、係る鎖は、上部で三又にカナメ部６１に設けられて、上から吊る構成となっており、図７（ｇ）が、係る支持材１０２が鎖である構成の、支持底６０の無い状態を示しており、３本の支持材１０２である鎖は、Ｓ字フックで、支持底６０に着脱可能に留めることが可能な構成となっている。
【００９５】
本構成においては、係るカナメ部６１に支持材１０２である３本の鎖が回動可能に設けられており、また、係る鎖は、下部にて、支持底６０にフックで着脱可能に設けられている構成であり、係る支持底６０のサイズによって、係る鎖を底部で設ける互いの鎖を留める距離が変えることが可能であり、つまりは、図７（ｅ）の説明にもあるような、支持材１０２の角度を可変とすることが可能となる構成であり、つまり、係る支持材１０２の鎖に設ける錐台筒４１または筒状体４８の設置位置の調整の幅が広がり、有用である。
また、本構成においては、３本の支持材１０２である鎖が円形の支持底６０に設けられているが、四角の支持底６０として、係る支持底６０の四角にて係る支持材１０２を留める構成とすることにより、本発明における多用途用収納ユニット１を、直方体状あるいは、四角錐台状の構成とすることも可能であり、自由度が高い構成とすることが可能である。
【００９６】
また、係る支持材１０２が、カナメ部６１において、回動可能に設けられていることによって、係る支持材１０２の角度を必要に応じて可変に設けることができるものであり、係る支持材１０２を棒としても、同様に角度可変とすることが可能である。
また、係る鎖である曲げ可能な可撓性のある支持材１０２の、支持可撓材６２は、曲げ可能な可撓性であり、本願発明の多用途用収納ユニット１及び、錐台筒４１または筒状体４８及び収納物の重量に耐えて、保持可能な強度があることが望ましく、その他、紐状、ワイヤー状、リボン状でも良く、その他の材質、材料、構造でも良く、その他、本願発明の特徴的な効果が発揮される範囲において変更することが可能であり、限定しない。
【００９７】
また、係る支持底６０は、特に本多用途用収納ユニット１を植栽容器とする場合は、植木鉢としても良く、その場合、構成可撓部材１０と係る植木鉢の間から、土や水がこぼれない構成とすることが望ましく、また、係る植木鉢の縁部が係る構成可撓部材１０の外に出っ張り、係る植木鉢にも、直接植栽可能な構成とすることが望ましい。
【００９８】
尚、係る支持底６０と支持材１０２が着脱可能に留めることが可能である構成は、本構成の様に、フックでも良いし、紐でも、ベルトでも、面ファスナーでも、嵌合でも、磁石でも、ネジ止めでも良く、その他、本願発明の特徴的な効果が発揮される範囲において変更することが可能であり、限定しない。
【００９９】
尚、特に図７（ｆ）の様に、係る多用途用収納ユニット１を吊設する構成である場合、特に、植栽用として係る多用途用収納ユニット１を用いる場合、錐台筒４１または筒状体４８は、例えば可撓性のシートなど、比較的薄い、剛性の求められない素材で構成することが可能であるので、軽量化を図ることができ、有用である。
【０１００】
尚、図７（ｆ）の構成の例においては、錐台筒４１の側面の形状が、鉛直方向にもＲ形状の錐台筒４１が６個設けられており、断面図として記載されており、係る構成の様に、錐台筒４１の側面の形状は、鉛直方向にもＲ形状の構成である、R筒台６９としても良く、係る形状とすることによって、同じ厚さの可撓性素材であっても、より、剛性あるいは強度のある形状とすることができる一方、形状変化の自由度は低くなる面があり、必要に応じて、選択可能となる。
尚、係るR筒台６９は、筒状体４８の側面が鉛直方向にＲ形状である構成としても良く、R筒台６９は、錐台筒４１または筒状体４８の一種である。
【０１０１】
また、構成ピース１９を、錐台筒４１または筒状体４８とすることによって、係る支持挿入穴４９部の径によって、係る径より大きい支持部よりは下にずれず、係る錐台筒４１または筒状体４８の位置がきまり、保持可能で安定するので、有用である。
ただ、例えば、係る錐台筒４１または筒状体４８の一方向のみに、収容物を収納すると、収納物の入っていない側が上に浮き上がることも考えられるので、そうした浮き上がり防止に、必要に応じて、支持材１０２または、他の構成ピース１９に係止しておいても良いが、必要に応じて、あくまでも浮き上がりや横ずれ防止程度の係止でもよく、常にバランスよく収納される場合、例えば、常に植栽の植物や培養基材３４が収容される場合などにおいては、必ずしも係る係止は無い構成としても良い。
【０１０２】
また、図面には示されていないが、支持挿入穴の形状は、円形の穴でも、方形の穴でも、ハート型の穴でも、その他異形でも良く、限定しない。 
また、本図においては支持材の数は４本の支持材１０２に構成可撓部材１０が設けられた構成の例であり、係る支持材１０２は、１本でも、２本でも、３本でも、また、５本以上でも良い。
また、図面には示していないが、多用途用収納ユニット１を、支持材１０２に吊り下げるように設けても良い。
【０１０３】
図８は、図７の支持材１０２が、支持可撓材６２である構成のバリエーションの例の説明図である。
【０１０４】
図８（ａ）は、図７（ｆ）の構成において、係る３本の支持可撓材６２である鎖 の中程で、係る支持可撓材６２間の距離を変える、支持アダプター６３が、複数の支持可撓材６２を橋架して設けられており、それによって、係る支持可撓材６２の角度を変えて、係る支持材１０２に、錐台筒４１または筒状体４８を設ける際の高さや種類や位置を調整可能とするものである。
【０１０５】
係る支持アダプター６３は、このように、支持可撓材６２の中程で、係る支持可撓材６２を曲折させて、支持可撓材６２間の距離を変えるアダプターであり、本構成においては、棒状の両端に、係る支持可撓材６２である鎖に係止するフックが設けられており、係る支持可撓材６２の間に橋架されることによって係る支持可撓材６２間の距離を変えているものであり、係る支持可撓材６２は、長さを可変として距離を調整できる様にしても良いし、また、係る支持可撓材６２と同様に、鎖や紐状体やワイヤー等の、可撓性のある構成としても良く、その他、本願発明の特徴的な効果が発揮される範囲において変更することが可能であり、限定しない。
【０１０６】
但し、係る複数の支持可撓材６２の距離を短くする為には、係る可撓性の支持アダプター６３としても良いが、係る距離を長くする為には、可撓性でない、硬質な素材の支持アダプター６３が望ましい。
【０１０７】
係る、図８（ａ）の構成においては、係る支持アダプター６３が設けられている部分より下の支持可撓材６２の領域においては、多くの長さの短めの収納物を収納可能である領域であり、係る支持アダプター６３より上の支持可撓材６２の領域では、いくつかの長さの長い収納物を収納可能な構成であり、つまり、長さの短い収納物が多く、長さの長い収納物が多い場合は、係る構成の多用途用収納ユニット１とすることができ、必要に応じて自由度の高いという有用性のあるものである。
また、係る多用途用収納ユニット１に植栽する場合においても、下の方に沢山緑花が植栽され、そこから、塔が立つように緑花が植栽された部分が立ち上がるような、装飾的な植栽容器とすることができ、その他の形状も、自由度が高く形状を作ることができ、有用である。
【０１０８】
図８（ｂ）は、係る支持アダプター６３によって、支持可撓材６２の距離を、途中で長くして、支持可撓材６２を、一部で、上側に広がっていく形状に設けた構成の例であり、３段に設けられた係る支持アダプター６３の内、一番上に設けられた支持アダプター６３が、上から二段目に設けられた支持アダプター６３よりも、長いことによって、一番上の支持アダプター６３と上から二段目の支持アダプター６３の間の支持可撓材６２が、上に向かって広がっていく形状に設けられていることを示している。 
係る構成であることによって、例えば、係る多用途用収納ユニット１を植栽容器として植栽した場合は、係る植栽した多用途用収納ユニット１を高い位置に設置した場合も、下から仰ぎ見る様に緑花を装飾可能であり、有用である。 
係る支持可撓材６２が、上側に広がっていく形状に設けた部分においては、例えば、図１２に示されるような、フックや凸形状のずれ防止部１１０を設けても良いし、係る構成可撓部材１０や構成ピース１９や錐台筒４１や筒状体４８に穴を設けて支持材１０２と係止してもよい。
【０１０９】
図８（ｃ）は、図７（ｆ）の構成の支持可撓材６２の三又の中央に、係る支持可撓材６２の位置を保持する支柱である、支持用支柱７９が設けられて、係る支持用支柱７９と、支持可撓材６２と、支持底６０が一体で、本発明における多用途用収納ユニット１を構成する例である。
係る構成によって、置き型の図８（ａ）や図８（ｂ）と同様の構成の多用途用収納ユニット１とすることができる。
【０１１０】
図８（ｄ）は、図８（ｃ）の構成における、支持可撓材６２の位置を保持する支持用支柱７９に、三又の支持可撓材６２が２セット、上下に設けられた構成の例であり、係る構成により、例えば、１つの多用途用収納ユニット１で、２つのカテゴリーの長さの違った収納物を収納することが可能であり、例えば、上の段には、長さの違う、様々な色鉛筆やペンを収納し、下の段には、長さの違う、様々な濃さの黒鉛筆や黒ペンを収納するといったカテゴリーに分けて収納することが可能となり、例えば、絵を描く仕事場などにおいて、沢山の種類の長さの違う色鉛筆等を、場所を取らず収納したい際等に、有用である。
また、本図においては、２段であるが、更に多段に設ける構成としても良い。
【０１１１】
図９は、下方向に広がって末広がりに設けられている支持材１０２の外側に、構成可撓部材１０である構成ピース１９としての、錐台筒４１または筒状体４８が設けられている構成に、収容物が収容された断面図を示している。
図９（ａ）においては、下方向に広がって末広がりに設けられている支持材１０２に、四つの筒状体４８が巻かれた状態で設けられている構成の収納空間１４に、培養基材３４が収容され、係る収納空間１４の培養基材３４に、開口入口部１２より、植物が収容物として、植栽されている構成の側面断面図である。
【０１１２】
図９（ｂ）は、支持材１０２に錐台筒４１が巻かれた状態で設けられた構成の例であって、係る多用途用収納ユニット１に、開口入口部１２から、収納領域に、複数の長さの違う鉛筆が４本と、上から、長い、物差しが一本収納されている例であり、錐台筒４１とすることによって、係る開口入口部１２がより大きく開口可能であり、また、係る長さの違うそれぞれの鉛筆は、斜めに収納されていることによって、より取り出し易く、また、入れやすい構成となっている。
【０１１３】
係る図９の二つの断面図に示される様に、筒状体４８または錐台筒４１の径を変えることによって、自由な高さに係る筒状体４８または錐台筒４１を設けることが可能であることが分かり、有用な構成である。
また、係る支持材１０２が、急な角度で立ち上がる構成であれば、少し係る錐台筒４１または筒状体４８の径を変えるだけで、係る錐台筒４１または筒状体４８が設けられる高さが変わり、また、緩やかな角度で立ち上がる構成である程、係る錐台筒４１または筒状体４８の径が変わった際に、隣り合う錐台筒４１または筒状体４８の上下方向の距離の変化を小さくしながら、開口入口部１２の上からの開口を広くすることが可能となり、必要、用途に応じて、係る支持材１０２の角度と錐台筒４１または筒状体４８の径を設定すればよい。
また、支持材１０２の数は、本図は断面図であり２本のみの記載であるが、２本以上でもよい。
【０１１４】
図１０及び、図１１は、係る支持材１０２の別のバリエーションの構成の例である。
図１０は、係る下方向に広がって末広がりに設けられている４本の支持材１０２が、弓状の曲線の構成であり、図１０（ａ）は正面図、図１０（ｂ）は側面図である。
係る構成とすることにより、例えば、図８（ａ）の様に、下の方の傾斜を大き目のなだらかな構成とすることにより、例えば、短い収納物の収納領域が多い構成とすることが可能となる。
また、植栽容器とする場合においても、その他の曲線、曲面に植栽するような、装飾的なバリエーションが豊富な構成とすることが可能となり、有用である。
【０１１５】
図１１は、係る下方向に広がって末広がりに設けられている支持材１０２が、台形の板材である構成の例である。
係る板材により、支持材１０２が、下方向に広がって末広がりに設けられていることにより、棒状材で係る構成を製作するのに比べ、製作し易く、また、強度を出し易く、板状部分方向からの植栽や収納が必要でない場合は特に、製造コスト面から、有用な構成である。
【０１１６】
図１１（ａ）及び図１１（ｃ）は、係る構成の正面図、図１１（ｂ）及び図１１（ｄ）は、係る構成のそれぞれの側面図であり、それぞれ、側面を台形の板状材で構成しており、図１１（ａ）は係る板状材を略垂直に設け、図１１（ｃ）は、係る板状材を下方向に広がって末広がりに設けることによって、構造的に、より強度を増した構成である。 
また、係る板材は、台形でも良いし、三角形でも良いし、係る下方向に広がって末広がりの辺の形状は、直線でも、弓状でも、凹凸が設けられていても、曲線でも、段差があっても良い。
【０１１７】
図１２は、本発明に係る構成可撓部材１０、あるいは構成ピース１９、あるいは錐台筒４１、あるいは筒状体４８が設けられる支持材１０２が、下方向にすぼまる様に、つまり、構成可撓部材１０、あるいは構成ピース１９、あるいは錐台筒４１、あるいは筒状体４８が設けられる支持部が、斜め下に向いて係る支持材１０２の例の説明図である。
係る支持材１０２に錐台筒４１が５段に設けられており、係る支持材１０２の斜め下に向いている支持部には、係る錐台筒４１がずれ落ちないように、ずれ防止部１１０である突起が設けられており、係る錐台筒４１が、下にずれ落ちない構成となっている。
係る支持材１０２が斜め下に向いていることによって、例えば、係る多用途用収納ユニット１を高い位置に設けた植栽容器とした場合、斜め下から見上げた斜め下を向いた面に、緑花が装飾されるような構成となり、有用である。
尚、係る隣り合う錐台筒４１は、水平方向に対して互いに重なり合う様に設けられることによって、培養基材３４や水の係る開口入口部１２からのこぼれを、より防止することが可能となる。
【０１１８】
ずれ防止部１１０は、支持材１０２に設けられた構成可撓部材１０、あるいは構成ピース１９、あるいは錐台筒４１、あるいは筒状体４８がずれるのを防止する部位であって、支持材１０２に設けられた突起あるいは、凸部あるいは、凹部、あるいは段差、あるいは、ネジ止め部、あるいは、接着部、あるいは、紐でもよく、その他、本願発明の特徴的な効果が発揮される範囲において変更することが可能であり、限定しない。
また、支持材１０２の数は、本図は断面図であり２本のみの記載であるが、２本以上でもよい。
【０１１９】
図１３は、本発明に係る支持材１０２が、円錐形状の構成の例であり、図１３（ａ）は、係る円錐形状の支持材１０２に、溝である溝部１２９を備えた構成の例であり、図１３（ｂ）は、図１３（ａ）の構成の支持材１０２に、錐台筒４１が設けられている構成の例であり、図１３（ｃ）は、溝部１２９に植栽された構成である。
【０１２０】
図１３（ｄ）は、板状のリブの組み合わせによって、係る円錐形状の支持材１０２を構成している例であり、図１３（ｅ）は、図１３（ｄ）の構成の上面図であり、図１３（ｆ）は、図１３（ｄ）の構成の、バリエーションの例である。
【０１２１】
図１３（ａ）は、係る円錐形状の支持材１０２に、溝である溝部１２９を備えた構成の例であり、係る溝部１２９が、構成可撓部材１０であり、構成ピース１９である錐台筒４１が貫通される様に設けられており、係る錐台筒４１の背面にあたる、内側に設けられた、収納空間１４となる構成である。
尚、頂点には、把手３９が設けられている。
【０１２２】
図１３（ｂ）に示される様に、図１３（ａ）の構成の支持材１０２に、内径の違う7つの錐台筒４１が設けられており、それぞれの錐台筒４１と錐台筒４１の間が、開口入口部１２となり、本発明に係る多用途用収納ユニット１を構成している。
図１３（ｃ）は、係る収納空間１４である溝部１２９に、培養基材３４が収容され、係る開口入口部１２から、植栽された植物の根３５が張っている状態を示しており、本構成においては、斜めに螺旋状に設けられた溝部１２９に係る培養基材３４が収容されることによって、広く根３５を張るスペースを確保しつつ、培養基材３４の重量において、下の培養基材３４に直接上の培養基材３４の重量がかかるのを緩和することによって、圧力の軽減を図って下の培養基材３４が固くなり過ぎるのを抑制し、且つ、上からの潅水も、下に回って下でも使われながら排水される。
また、係る円錐形状の支持材１０２の内側を中空にすることによって、培養基材３４が入らない空間を創出することによって、係る多用途用収納ユニット１全体の軽量化を図ることができて、移動も楽となる。
例えば、係る図１３の構成の円錐形状の支持材１０２は、工事現場等で使用される三角コーンとして使用することによって、殺風景な工事現場の入口等を、簡易に緑化で装飾することも可能であり、また、マラソン等のイベントにおいても、仕切り兼、緑花の装飾をすることが可能となる。
また、可撓性のある構成であるので、自動車や人がぶつかっても、安全であり、また、三角コーンの重りとして、風等で簡単に動かなくなり、有用である。
係る溝部１２９の形状は、斜めでも良いし、縦でも良いし、横でも良い。
また、係る溝部１２９に、凹凸を設けて、収納物や、培養基材３４のずれ防止としても良い。
係る円錐形状の支持材１０２は、角錐形状でも、その他略錐形状でも良く、また、円錐台や角錐台他の各種略錐台形状でも良い。
また、係る錐台筒４１は、いわゆる、可撓性素材ではなく、より硬質、あるいは剛性のあるポリアミドやポリカーボネート他のプラスチックや、陶器、ガラス、石、としても良い。 
尚、係る把手３９は、係る円錐形状の支持材１０２の略頂点付近に穴を設け、係る穴に把手３９としての紐等の把手３９を設ける構成としても良い。
特に、係る穴を、貫通穴として、係る穴に紐を通すことによって把手３９とすることによって、特に、三角コーンの様に中が中空の中に挿入して、積み重ねて保管、移動し易く、有用である。
【０１２３】
図１３（ｄ）は、２等辺三角形形状の板状材である外リブ１２８が、３枚縦に組合わさり、係る各二等辺に挟まれた角を頂点として、全体で略錐形状を構成し、係る錐形状の中段に、２枚の円形状の略水平方向の板状材である外リブ１２８で構成されている支持材１０２の例であり、図１３（ｅ）が、係る構成の上面図である。
係る支持材１０２に、例えば、図１３（ｂ）の様に、錐台筒４１あるいは、筒状体４８を設けることによって、収納空間１４が多段の本発明に係る多用途用収納ユニット１の構成となる。
【０１２４】
また、図１３（ｆ）は、係る図１３（ｄ）の構成のバリエーションの例であり、２枚の２等辺三角形の外リブ１２８に仕切られた収納空間１４の内、正面右の収納空間１４には、横方向の外リブ１２８が全くない状態で、左側の収納空間１４は、略水平方向の板状材の略中央部に穴が設けられており、また、縦方向の外リブ１２８の２等辺部にかからない構成あることにより、巻くようにして設けられた構成可撓部材１０と横方向のリブ状の板状材の間に、隙間を設けることが可能な構成であり、係る構成とすることによって、長い収納物を係る隙間や、穴を通して、下まで収納可能な構成となり、有用である。
尚、係る水平方向の板状材は、係る収納空間１４を多段とすることと合わせて、縦方向の板状材の外リブ１２８の強度の補強と、形状を安定させる構成として、有用である。
【０１２５】
尚、外リブ１２８は、略錐形状あるいは、略錐台形状の支持材１０２の外形面を構成する凸状または板状の部分であり、係る支持材１０２に巻かれる様にして設けられた構成可撓部材１０の背面である内側に中空の空間を形成し、収納空間１４を構成可能な部分である。
【０１２６】
また、図１３（ｄ）及び図１３（ｆ）においては、係る錐形状の支持材１０２の略全てを、板状の外リブ１２８にて構成された例であるが、図１３（ａ）の構成の支持材１０２において、円錐の側面の外面部に設けられた溝部１２９の代わりに、円錐形状あるいは錐形状の側面の外面部に、外リブ１２８を設けた構成としても良い。
係る構成とすることによって、溝部１２９を設ける構成よりも、重ねて収納可能な収納空間１４のデザインの自由度が増し、有用である。
また、係る外リブは、支持材と一体で成形しても良いし、別体の外リブを係止した構成でも良く、係る係止方法は、接着でも融着でもネジ止めでもよく、限定しない。
【０１２７】
また、係る外リブ１２８を、着脱可能な構成である、着脱リブ１３９としても良い。
または、 錐台筒４１または筒状体４８は、溝部１２９のない円錐形状等の錐形状の支持材１０２に、貫通されて設けられるようにして、本発明に係る多用途用収納ユニット１を構成しても良い。
係る支持材１０２が、係る錐形状あるいは錐台形状であることによって、係る多用途用収納ユニット１は全体として、倒れ難く、安定感のある構成となり、また、錐台筒４１または筒状体４８を設けるにあたっても、係る支持材１０２の下に広がる錐形状により、係る錐台筒４１または筒状体４８の高さが支持挿入穴４９のサイズでしっかり決まり、また、開口入口部１２もより大きく取りやすいなど、有用な点が多い構成であるものである。
【０１２８】
また、係る錐形状または錐台形状の支持材である錐状芯材の形状は、円形または方形の円錐形状や円錐台形状や角錐形状や角錐台形状、またはハート形または星形またはその他の形状の、錐形状または錐台形状でも良く、その他、本願発明の特徴的な効果が発揮される範囲において変更することが可能であり、限定しない。
【０１２９】
また、錐状芯材を覆う様に構成可撓部材を設けて、係る錐状芯材と構成可撓部材の間に収納空間を備えても良いし、背面シートを備えた構成可撓部材を、係る錐状芯材に設けた構成としても良い。
【０１３０】
図１４は、前記着脱リブ１３９の構成の例であり、図１４（ａ）と図１４（ｃ）は係る構成の例であり、図１４（ｂ）と図１４（ｄ）は、係る着脱リブ１３９が、円錐形状の支持材１０２の錐状芯材である、三角コーンに設けられた構成の例である。
図１４（ａ）に記載の着脱リブ１３９の構成の例は、上部にリング状のリブ留め部１３８を備え、リブ留め部１３８は、着脱リブ１３９を支持材１０２に設ける為の部材であり、係るリブ留め部１３８に、回動可能にリブとしての長尺の板材であるリブ部材１３７が４本設けられており、図１４（ｂ）に示される様に、係るリング状のリブ留め部１３８を、円錐状の支持材１０２である例えば三角コーンの上から、ハチマキ状に挿入することによって、係る支持材１０２に設けられ、回動可能な回動可能部１３６によって、図１４（ｂ）に示される様に、回動して、係る支持材１０２に沿って着脱リブ１３９が係る支持材１０２に設けられる構成である。
【０１３１】
係る構成によって、構成可撓部材１０を係る着脱リブ１３９の上から設けることによって、係る構成可撓部材１０の背面あるいは内側に、収納空間１４を設けることが可能となり、有用である。
また、係る回動可能部１３６は、蝶番でも良いし、可撓性のあるシートや紐状体を介して設けられても良いし、その他、本願発明の特徴的な効果が発揮される範囲において変更することが可能であり、限定しない。
リブ留め部１３８は、係るリング状でも、ベルトでも、紐状でもよく、本願発明の特徴的な効果が発揮される範囲において変更することが可能であり、限定しない。
【０１３２】
図１４（ｃ）は、係るリブ部材１３７が鎖で構成された例であり、係るリブ部材１３７が、可撓性を有する構成であることにより、係るリブ部材１３７が、支持材１０２の形状になじみやすく、支持材１０２の形状に沿い易い構成となり、有用である。
つまり、図１４（ｄ）の様に、例えば三角コーンを支持材１０２として、係る支持材１０２に係る可撓性のある着脱リブ１３９を設けた場合に、横方向にも、容易にリブ部材１３７を支持材１０２に沿わせて設けることが可能となり、有用である。
また、縦方向のリブ部材１３７を、板状や棒状の硬質なあるいはソリッドな材質の構成とし、横方向を可撓性のある材質による構成としても良い。
【０１３３】
また、係る可撓性のあるリブ部材１３７は、鎖でも良いし、ロープなどの紐状体でも良いし、ワイヤーでも、各種ゴム素材でも良いし、チューブ状でもよく、その他、本願発明の特徴的な効果が発揮される範囲において変更することが可能であり、限定しない。
また、係るソリッドあるいは硬質なリブ部材１３７は、その材質を木としても良いし、鉄やアルミなどの金属でも良いし、ポリプロピレンやポリアミドの様なプラスチックでも良いし、各種ゴムでも良く、また、マグネットでも良く、また、係るサイズや形状も太くても、細くても、長くても、凹凸が設けられていても、太さが変わってもよく、その他、本願発明の特徴的な効果が発揮される範囲において変更することが可能であり、限定しない。
【０１３４】
また、係るチューブ状のリブ部材１３７の中に、水を通して、穴を設けて、係る多用途用収納ユニット１を植栽容器とした場合の、潅水用の水管としても良い。
係る着脱リブ１３９の構成によって、構成可撓部材１０の背面あるいは内側に、必要に応じて太さ、あるいは厚さの違う着脱リブ１３９を、選択的に設けることが可能となり、有用である。
つまり、太い収納物を収納したり、多くの培養基材３４を収容するのに合わせて、太い着脱リブ１３９を自由に選択することが可能であり、有用である。
【０１３５】
図１５は、錐状芯材である前記三角コーン等の支持材１０２に設けられて係る錐状芯材との間に収納空間１４を作り出すことが可能な構成である外リブ１２８と同等の効果をもたらす、筒一体スペーサー部１４９が、錐台筒４１あるいは筒状体４８に設けられた構成の説明図である。
【０１３６】
尚、係る筒一体スペーサー部１４９は、支持材と、係る錐台筒４１あるいは筒状体４８の支持挿入穴と支持材の間にも、収納空間１４を構成する空間を作り出す、係る支持挿入穴に備えられた凸部または、凹部である。
【０１３７】
図１５（ａ）と図１５（ｂ）は、それぞれ、錐台筒４１と筒状体４８が、略錐形状の支持材１０２である、三角コーンに設けられた構成の部分断面図であり、図１５（ｃ）と図１５（ｄ）は、筒一体スペーサー部１４９
を備えた錐台筒４１の例であり、図１５（ｅ）は、係る筒一体スペーサー部１４９が補強橋架部１４８を備えた構成の例であり、図１５（ｆ）と、図１５（ｇ）と図１５（ｈ）は、筒状体４８が、筒一体スペーサー部１４９を備えた構成の例である。
図１５（ａ）は、三角コーンに代表される、略錐形状の支持材１０２に、３段で設けられた支持挿入穴４９の径が違う錐台筒４１が筒一体スペーサー部１４９を備えた構成の例であり、図１５（ｃ）あるいは図１５（ｄ）に示される例の錐台筒４１が、係る錐台筒４１に設けられた支持挿入穴４９に係る支持材１０２が挿入されて設けられ、係る錐台筒４１は、係る支持挿入穴４９に備えられた筒一体スペーサー部１４９で係る支持材１０２に支持されることによって、係る筒一体スペーサーの間を収納空間１４として、構成されるものである。
【０１３８】
図１５（ｃ）及び図１５（ｄ）は、係る支持挿入穴４９内に、４つの筒一体スペーサーである係る支持挿入穴４９内に突き出た凸部である筒一体スペーサー部１４９を備えた錐台筒４１であり、図１５（ａ）に示される様に、係る筒一体スペーサー部１４９で支持されて、係る錐台筒４１が支持材１０２に設けられるものである。
尚、係る筒一体スペーサー部１４９の凸高さは、収納物のサイズや太さ、収容したい培養基材３４の量によって、適切な高さに設定されるものである。
【０１３９】
図１５（ｅ）は、係る複数の筒一体スペーサー部１４９を、互いに橋架する補強橋架部１４８を備えることによって、係る筒一体スペーサー部１４９の強度を補強するものである。
係る構成によって、可撓性のある素材である構成可撓部材１０においても、係る筒一体スペーサー部１４９が座屈し難い構成となり、有用である。
【０１４０】
図１５（ｂ）は、三角コーンに代表される、略錐形状の支持材１０２に、２段で設けられた支持挿入穴４９の径が違う筒状体４８が筒一体スペーサー部１４９を備えた構成の例であり、図１５（ｆ）に示される例の筒状体４８が、係る筒状体４８に設けられた支持挿入穴４９に係る支持材１０２が挿入されて設けられ、係る筒状体４８は、係る支持挿入穴４９に備えられた筒一体スペーサー部１４９で係る支持材１０２に支持されることによって、係る筒一体スペーサーの間を収納空間１４として、構成される例である。
尚、係る一番下の筒状体４８には、筒一体スペーサー部１４９が設けられておらず、筒一体スペーサー部１４９を備えないことによって、収納された収納物を、受け止めて、保持する構成である。
【０１４１】
図１５（ｆ）は、筒状体４８に、筒一体スペーサー部１４９を備えた構成の例であり、図１５（ｃ）の錐台筒４１に設けられた筒一体スペーサー部１４９同様、係る筒状体４８が、係る筒一体スペーサー部１４９に支持されて、係る支持材１０２に設けられた構成であり、係る筒一体スペーサーの間を収納空間１４として、構成される例である。
図１５（ｇ）は、図１５（ｅ）同様、係る複数の筒一体スペーサー部１４９を、互いに橋架する補強橋架部１４８を備えることによって、係る筒一体スペーサー部１４９の強度を補強するものである。
【０１４２】
尚、筒一体スペーサー部１４９は、補強橋架部１４８以外の補強構造を備えても良く、係る補強構造は、リブでも良いし、鉄などの金属や、ポリプロピレンやポリアミド等のプラスチックや木などを備えた補強構造としても良く、その他、本願発明の特徴的な効果が発揮される範囲において変更することが可能であり、限定しない。
【０１４３】
図１５（ｈ）は、筒状体４８に設けられた筒一体スペーサー部１４９が、係る筒状体４８の内側に凸に設けられた構成の例の上面図である。
係る構成においては、係る内側に凸に設けられた凸部を、リブ状に設けることによって、強度のある筒一体スペーサーとすることができ、図１５（ｆ）あるいは、図１５（ｇ）の例の筒一体スペーサー部１４９と合わせた構成としても良い。
図１５（ｉ）及び、図１５（ｊ）は、図１５（ｈ）の筒一体スペーサー部１４９が、係る筒状体４８の内側に凸に設けられた構成の例の部分断面図であり、それぞれ、係る筒一体スペーサー部１４９の形状のバリエーションを示しているものであり、図１５(i)の筒一体スペーサー部１４９は三角形であり、図１５（ｊ）の筒一体スペーサー部１４９は、長方形であり、係る形状は、限定しない。
また、図１５（ｋ）は、筒状体４８の底部に、平面部を備え、係る平面部の内側に設けられた支持挿入穴４９の内側に、筒一体スペーサー部１４９が設けられた構成の断面図を示している。
【０１４４】
図１５に記載の、筒一体スペーサー部１４９を備えた錐台筒４１または筒状体４８の構成であることによって、例えば、一般的な三角コーンにおいても、本発明に係る多用途用収納ユニット１を、容易に創出することが可能となり、有用である。
図１６は、錐状芯材のように、略錐形状あるいは、略錐台形状の傾斜のある支持材１０２である、例えば３角コーンの側面に設けられる高さによって、その径が変わる支持材１０２の径に合わせて、一定の錐台筒４１や筒状体４８にて、係る径の変化に対応して装着可能とする構成である、径調アダプター１５４の例である。
【０１４５】
図１６（ａ）は、係る構成の例を支持材１０２に設けた際の部分断面図であり、図１６（ｂ）及び、図１６（ｃ1）及び、図１６（ｃ2）は、係る構成の例における径調アダプター１５４の例である。
図１６（ａ）は、５段の錐台筒４１が、外リブ１２８を設けられた略錐形状の支持材１０２である三角コーンに設けられている構成の例の部分断面図であり、真ん中の３段の錐台筒４１は、略同等半径の内径である錐台筒４１が、違う高さで係る支持材１０２に設けられており、係る3段の内、最下段と最上段の錐台筒４１は、ベルトで支持材１０２への支持挿入穴４９の取付径である内径を変更可能な径調アダプター１５４の構成の例である。
【０１４６】
係る真ん中の３段の錐台筒４１は、略同等内径の支持挿入穴４９である錐台筒４１であり、係る真ん中の３段の錐台筒４１の内、一番下の錐台筒４１が直接支持材１０２に設けられており、その上の二つの錐台筒４１は、支持材１０２の外形よりも、支持挿入穴４９の内径の方が大きい為、係る径の差を埋めて係る錐台筒４１を係る支持材１０２に設けることが可能とする為に、径調アダプター１５４が係る錐台筒４１にハチマキ状に巻くように設けられた構成であり、係る真ん中の錐台筒４１が設けられた径調アダプター１５４は、係る径調アダプター１５４の外側に傾斜した面で、係る錐台筒４１を保持して、支持しており、その上の錐台筒４１は、径調アダプター１５４の内側に傾斜している面で、係る錐台筒４１を保持して、支持している構成の例である。
【０１４７】
係る径調アダプター１５４の外側に傾斜した面で、係る錐台筒４１を保持する構成は、より、設けられた錐台筒４１の位置がきまり、安定し易い構成となっており、径調アダプター１５４の内側に傾斜している面で、係る錐台筒４１を保持して、支持している構成は、例えば、係る収容物が植物で、植栽容器である場合は、培養基材３４や水が、係る錐台筒４１の外側に流出し難い構成となり、必要に応じて、使い分けることが望ましい。
【０１４８】
また、係る径調アダプター１５４が、図１６（ｂ）に構成の例の様に、筒載置部１５８が平面である場合は、外側あるいは内側に傾斜を設けている構成と比較すると、係る錐台筒４１の位置がずれ易い構成となっている。つまり、図１６（ｄ）に示される様に、意図的に左右にずらして錐台筒４１を係る平面な載置部に載置することができ、左右の開口入口部１２の広さを交互に変えることが可能となる構成であり、収納物のサイズに合わせてずらしても良いし、植栽容器として植栽する場合も、広い開口部側には、より多く植栽でき、植物によって日当たりの変化や、根３５を張る量等、植物の変化と全体の形状として変化を出せる構成となり、装飾的にも有用である。
尚、係る錐台筒４１の下の支持挿入穴４９部には、座面を備えて、係る錐台筒４１の強度アップと、座りの安定性を増した錐台筒４１の構成となっている。
【０１４９】
また、図１６（ａ）の最上段と、最下段の錐台筒４１は、係る形状アダプターが、ベルト付きであることにより、係る支持挿入穴４９の内径が可変な、内径可変部159を備えた構成の例であり、最上段の径調アダプター１５４と最下段の径調アダプター１５４は、同等の内径可変部159を備えた径調アダプター１５４であり、係る内径可変部159で、係る径調アダプター１５４の内径を変更することによって、支持材１０２の外形の違う最上段と最下段に設けられた構成の例である。
【０１５０】
係る内径可変部159が、ベルトである構成の例が、図１６（ｃ1）の構成の例であり、係る図１６（ｃ1）の構成の例は、図１６（ａ）の最上段と最下段の径調アダプター１５４の構成の例の正面図であり、図１６（ｃ2）は、図１６（ｃ１）の上面図である。
係る径調アダプター１５４は、支持材１０２に設置した際に、錐台筒４１または筒状体４８を載せる筒載置部１５８が、可撓性を有するベルトに設けられており、係るベルトに設けられたベルト穴１５７に他端のベルト棒１５６を挿入することにより、長さを調整して、係る支持材１０２の径に合わせて係る径調アダプター１５４に設ける構成である。
【０１５１】
係る内径可変部159は、ベルトでも良いし、面ファスナーでも良いし、磁石でも良いし、マグネットシートでも良いし、紐状体でも良いし、ゴムでも良いし、その他、本願発明の特徴的な効果が発揮される範囲において変更することが可能であり、限定しない。
但し、係る内径可変部159がゴムの構成の場合、係る支持材１０２が錐台形状または、錐形状の様に、連続的に径が変化する支持材１０２の場合は、ゴムの弾性力で係る構成可撓部材１０である錐台筒４１または筒状体４８の位置がずり上がる可能性もあるので、望ましくない。但し、係る支持材１０２に、凹凸形状や段差部を備える等、ずれ防止部１１０を備える場合は、その限りではない。
また、係る内径可変部159は、錐台筒４１または筒状体４８に設けられて、係る錐台筒４１または筒状体４８が、取り付ける支持材１０２の径に対応して、可変である構成としても良い。
【０１５２】
また、図面には示していないが、係る径調アダプター１５４に支持材１０２が挿入されて設けられる内径部である、径調アダプターの支持挿入穴４９である径調挿入穴１５５に、筒一体スペーサー部１４９と同等の径調スペーサー部が設けられることによって、筒一体スペーサー部１４９同様に、収納スペースを設けることが可能な径調アダプター１５４としても良い。
また、構成可撓部材である錐台筒４１または筒状体４８は、係る径調アダプターに、載置して設けられても良いし、係止して設けられても良く、係る係止方法は、嵌め合いでも、結束でも、面ファスナーでも、接着でも、溶着でも、リベットでも、ステープラー留めでも、ネジ留めでも、ホックでも、フックでも、マグネットでもよく、本願発明の特徴的な効果が発揮される範囲において変更することが可能であり、限定しない。
また、図面には示されていないが、係る筒載置部に、複数の錐台筒41または筒状体48の径に対応する径の溝を設けて、係る溝にて係る錐台筒41または筒状体48がはまり込み、その位置を保持される構成としても良いし、その他の形状で、係る錐台筒41または筒状体48と径調アダプター154に嵌合させて。保持しても良く、その他、係る径調アダプター154の形状は、本願発明の特徴的な効果が発揮される範囲において変更することを可能であり、限定しない。
【０１５３】
図１７は、錐台筒４１あるいは筒状体４８の支持挿入穴４９内径が、可変で、調整可能である、あるいは、調整可能な部材を備えた構成の例であり、
図１７（ａ）は、図１７（ｂ）の支持挿入穴４９の内径が、可変で、調整可能である構成の錐台筒４１が、錐形状の錐状芯材が支持材１０２である三角コーンに設けられた構成の例である。
【０１５４】
図１７（ａ）は、図１７（ｂ）の支持挿入穴４９の内径が、可変で、調整可能である構成の錐台筒４１は、係る支持挿入穴４９の周辺に、切り込み部である穴切り部１６７が設けられている構成で、係る穴切り部１６７の間が、穴切り足１６６である構成であり、図１７（ａ）において、係る錐台筒４１が支持材１０２に設けられており、図１７（ｂ）の３つの同等サイズの錐台筒４１が違う高さで設けられている構成の例であり、一番下と真ん中の錐台筒４１は、係る穴切り部１６７により形成される穴切り足１６６である構成可撓部材１０が支持材１０２に沿う様に折れて、広がって設けられた構成であり、一番上の錐台筒４１は係る支持挿入穴４９の内径部の縁で支持されて設けられた構成であり、係る。一番下と真ん中の錐台筒４１の係る穴切り部１６７で構成可撓部材１０が支持材１０２に沿った部分を支持材１０２に上から巻止め部材１６９にて巻いて保持された構成の例である。
【０１５５】
係る巻止め部材１６９は、ベルトでも良いし、面ファスナーでも良いし、紐やロープなどの紐状体でも良いし、リボンでも、ワイヤーでも、テープでも、ゴムバンドでも良く、その他、本願発明の特徴的な効果が発揮される範囲において変更することが可能であり、限定しない。
【０１５６】
また、係る巻止め部材１６９を留める高さを変えることによって、図１７（ａ）の下から一つ目と二つ目の錐台筒の様に、違う径の部分においても、設けることが可能となり、有用である。
また、係る錐台筒が、係る支持材に設けられる際に、支持材が支持挿入穴４９に挿入されて、穴切り部１６７が広がることにより、係る穴切り部１６７の隙間が大きくなり、係る隙間を上下の錐台筒と貫通した収納空間としても良い。
また、係る巻止め部材１６９で、全ての穴切り足１６６を巻かずに数本の穴切り足１６６は、フリーな状態にすることによって、係る巻かれずにフリーな穴切り足１６６部は、中空空間である、収納空間とする構成としても良い。
また、係る支持材の形状も、円錐でも、円柱でも、方形でも、ハート型などの異形であっても、係る穴切り足１６６が、係る異形の形状に合わせて沿って設けられることが可能であり、自由度が高く有用である。
【０１５７】
図１７（ｃ）、図１７（ｄ）、図１７（ｅ）、図１７（ｆ）、図１７（ｇ）、図１７（ｈ）、図１７（i）は、図１７（ｂ）の構成のバリエーションの例である。
図１７（ｃ）は、図１７（ｂ）の構成において、支持挿入穴４９が、中心からの放射状の穴切り部１６７による穴切り足１６６が、押し広げられることによって、支持材が挿入される支持挿入穴４９となる構成であり、係る穴切り足１６６は、図１７（ｂ）の構成の穴切り足１６６よりも、長い穴切り足１６６となり、より、支持材に設けた際に安定感が増す構成となる。
【０１５８】
図１７（ｄ）は、係る穴切り足１６６に追加して、より長い足である、追加穴足１６５を備えた構成の例である。
係る追加穴足１６５を、図１７（ｃ）の構成の穴切り足１６６よりも長くすることによって、更に、支持材に錐台筒または筒状体を設けた際の安定感が増す構成とすることが可能となり有用である。
係る、追加穴足１６５は、図１７（ｅ）に示される様に、穴切り足１６６が無い構成でも良いし、穴切り足１６６を備えた構成としても良い。
【０１５９】
また、図１７（ｏ）が、係る追加穴足１６５または穴切り足１６６を設けた錐台筒が、支持材である三角コーンに備えられた構成の例であり、係る追加穴足１６５または穴切り足１６６が、他の錐台筒と支持材の間に挟み込まれることによって、より、係る錐台筒を安定化させることが可能である構成であり有用である。
【０１６０】
係る構成においては、係る追加穴足１６５または穴切り足１６６は、他の径調アダプターや、錐台筒や筒状体と係る支持材との間で挟み込まれても良いし、載置された支持材と地面との間で挟み込まれて挟持しても良いし、支持材に設けた挟み込み部で挟持しても良いし、追加穴足自体の重量で、係る追加穴足が設けられた錐台筒41または筒状体48の重心を下げて安定させて保持させても良いし、追加穴足１６５または穴切り足１６６を挟持または係止、または保持する部分である足留め部１６４であれば、その他、係る足留め部１６４は本願発明の特徴的な効果が発揮される範囲において変更することが可能であり、限定しない。
【０１６１】
また、本図においては、係る追加穴足１６５または穴切り足１６６は、１つの錐台筒によって挟まれているが、複数の錐台筒によって挟まれて挟持してもよく、長い追加穴足１６５または穴切り足１６６を、必要に応じてカットしても良く、また、１つの足留め部で複数の錐台筒や筒状体の追加穴足１６５または穴切り足１６６を保持する構成としても良い。
【０１６２】
また、係る追加穴足１６５は、構成可撓部材と同様の可撓性のある部材でも良いし、その他、紐やリボン、綱、鎖、自己吸着シート、磁石やマグネットシート、棒状材、板材を設けても良く、また、太さや、長さのサイズや形状も、太くても、長くても、凹凸が設けられても、太さが変わっても良く、その他、本願発明の特徴的な効果が発揮される範囲において変更することが可能であり、限定しない。
尚、係る追加穴足165は、長尺であることによって、より多くの他の錐台筒41または筒状体48等と支持材との間で挟持されてよりしっかりと保持され易くなり、また、長いことによる低重心化や、収納物との摩擦や挟持による保持力をアップさせることも可能で、特に、係る収納物が植物と培養基材である場合には有用である。
また、係る追加穴足１６５または穴切り足１６６を、着脱リブとして、着脱リブが設けられた錐台筒41または筒状体48としても良い。
【０１６３】
図１７（ｆ）は、穴切り部１６７の長さ違いの構成の例であり、係る錐台筒が、支持材の、例えば三角コーンに設けられる際に、短い穴切り部１６７の奥までが最大限の係る錐台筒の挿入深さとなるが、穴切り部１６７の長さが長いことによって長い穴切り足１６６は、奥まで支持材が挿入されないので、係る長い穴切り足１６６の奥と、支持材との間には、隙間ができ、係る隙間が、中空収納部となる構成であり、有用である。
【０１６４】
図１７（ｇ）は、係る穴切り足１６６を備えた錐台筒が、穴を備えた構成であり、係る穴が、上下の構成ピースである錐台筒の背面にて通じて収納可能な収納空間となる構成としても良い。
図１７（ｈ）は、係る切り込み部を、広く切り込んだ構成の例である。係る構成によって、係る広い切り込み部を収納空間として、収納空間を、より広く設けることが可能な構成となる。
図１７（ｉ）は錐台筒の外形が、方形であり、係る形状は、その他の多角形でも、ハート型等、その他の異形でも良く、限定しない。
図１７（ｊ）は、筒状体の穴切り足１６６を示す、断面図であり、筒状体の支持挿入穴４９に、穴切り部１６７が設けられて、穴切り足１６６が設けられている構成の例である。
図１７（ｋ）は、筒状体の内側に略水平方向に入った平面部に設けられた支持挿入穴４９に、穴切り足１６６が設けられた構成を示している。
図１７（ｍ）は支持挿入穴４９の内径が、可変で、調整可能である構成の別の例である。
図１７（ｎ）は、図１７（ｂ）の穴切り足の構成と、図１７（ｍ）の巻止め部材の構成を合わせた構成の例である。
図１７（ｏ）は、図１７（ｄ）あるいは図１７（ｅ）の構成の錐台筒を、支持材である三角コーンに設けた例である。
【０１６５】
図１７（ｍ）は、錐台筒４１の支持挿入穴４９部に、巻止め部材であるベルトが、筒位置係止具１６３として錐台筒に設けられ、支持挿入穴４９部に、支持材１０２を挿入して、係るベルトで係る支持材１０２を巻いて留めることによって、係る錐台筒４１を係る支持材１０２に係止する構成となる。
係る筒位置係止具１６３は、筒状体４８または、錐台筒４１または、錐台展開または、筒状展開である収納筒材に設けられて、係る収納筒材が支持材１０２を、係る支持挿入穴４９部に挿入して係る錐台筒４１が設けられる際に、係る支持材１０２にずれを抑制するために係止する構成であり、ベルトでも良いし、面ファスナーでも良いし、紐やロープなどの紐状体でも良いし、リボンでも、ワイヤーでも、テープでも、ゴムバンドでも、磁石でもマグネットシートでも良く、その他、本願発明の特徴的な効果が発揮される範囲において変更することが可能であり、限定しない。
また、係る構成可撓部材１０自体、つまり、錐台筒４１または筒状体４８自体を、マグネットシートとしても良い。
また、追加穴足１６５も、筒位置係止具１６３の形態の１つである。
【０１６６】
また、係る支持材は、本図においては錐形状であるが、錐台形状でも、円柱でも、方形でも良く、限定しない。
また、係る穴切り部１６７は、錐台筒あるいは筒状体の支持挿入穴４９の一部または全部に設けられて、係る支持挿入穴の内径を可変にする複数の切り込みであり、径の違う支持材に設けることが可能にする構成となり、係る穴切り部は、実際に切り込みを入れて設けても良いし、切り込み形状に成形されても良く、また、係る穴切り部の形状も、直線でも良いし、曲線でも良いし、スリットでも良いし、幅のある切り欠き形状でもよく、その他、本願発明の特徴的な効果が発揮される範囲において変更することが可能であり、限定しない。
また、係る穴切り部１６７は、図５に示される、錐台展開あるいは筒状展開の構成で設けられて、係る錐台展開または筒状展開を錐台筒または筒状体とした際に、支持挿入穴に穴切り足１６６が設けられた構成としても良く、あるいは、係る穴切り足１６６が、係る支持挿入穴の一部または全部を構成しても良く、あるいは、追加穴足を設けた構成としても良い。
【０１６７】
図１８は、ハチマキ受け１７１と基台シート３０が、係る錐形状の支持材１０２である三角コーンに被さる様に、あるいは、巻いて設けられ、係る基台シート３０の上から、錐台筒４１が設けられた構成の例の部分断面図である。
【０１６８】
図１８（ａ）は、係る構成においては、支持材１０２の下方にハチマキ受け１７１がハチマキ状に支持材１０２に巻かれる様にして設けられており、袋状または樋形状の溝を備えた係るハチマキ受け１７１は、受け部６が輪状である構成であり、係るハチマキ受け１７１の輪状部に、支持材１０２が挿入されて、係る錐形状の下部で、係るハチマキ受け１７１が留まっており、係るハチマキ受けの係る溝の内側を覆い被さる様にして、基台シート３０が支持材１０２に円錐状に巻かれて設けられており、係る基台シート３０の上から、筒一体スペーサー部１４９を備えた錐台筒４１が設けられた構成となっている。
【０１６９】
係る、基台シート３０が、ハチマキ受け１７１の内側に被さる様にして設けられていることによって、収納物を下側で係るハチマキ受け１７１が受けることが可能であるし、また、例えば、係る多用途用収納ユニット１に植栽される植栽容器として構成される場合には、潅水の水受けとすることができ、係る基台シート３０が係るハチマキ受け１７１の内側に被さる様に設けられていることから、水のこぼれを抑制することが可能となる構成である。
尚、係るハチマキ受け１７１は、構成可撓部材と同様な可撓性素材でも良いし、プラスチックや金属他の硬質あるいはソリッドな素材でもよい。
尚、係る基台シートは、円錐などの錐形状あるいは、円錐台などの錐台形状あるいは円筒などの筒形状に形成した構成としても良く、係る構成とすることによって、自立も可能な構成となり、有用である。
【０１７０】
図１８（ｂ）は、図１８（ａ）の構成において、係る錐形状あるいは錐台形状あるいは円筒形状の基台シート３０に、錐台筒を穴切り足１６６にて係止した構成である。
このように、錐台筒あるいは筒状体を、錐形状あるいは錐台形状あるいは円筒形状の基台シート３０に係止することによって、例えば、係る基台シートに、収容物、例えば、培養基材と植物が収容された状態でも、係る錐台筒あるいは筒状体が、係る基台シート３０の形状を保持する骨組みとなり、係る基台シートが、内側に座屈するのを抑制して、型崩れし難くなり、係る支持材が無くても、錐形状あるいは錐台形状あるいは円筒形状を保持したまま自立あるいは吊設し易くなり、有用である。
また、図１８（ｃ）は、図１８（ｂ）の構成の基台シートに、更にハチマキ受けも係止した構成となり、特に係るハチマキ受けを硬質またはソリッドな構成とすることにより、更に型崩れし難く、係る基台シートの形状を保持したまま自立あるいは吊設し易くなり、有用である。
【０１７１】
図１９は、円柱あるいは、円筒の支持材１０２に、錐台筒４１が設けられた構成の例である。
図１９（ａ）は、係る円柱形状の支持材１０２に、溝である溝部１２９を備えた構成の例であり、図１９（ｂ）は、支持材が円筒の容器状の構成の例であり、図１９（ｃ）は、図１９（ｂ）に収容物を収容した例の断面図である。
【０１７２】
図１９（ａ）は、係る円柱形状の支持材１０２に、溝である溝部１２９を備えた構成の例であり、係る溝部１２９が、構成可撓部材１０であり、構成ピース１９である錐台筒４１が係る支持材１０２に貫通される様に巻かれて設けられており、係る錐台筒４１の背面にあたる、内側に設けられた、収納空間１４となる構成である。
例えば、係る溝部１２９の構成については、図１３（ｃ）に示されるものと、同等である。
【０１７３】
図１９（ｂ）は、円筒の容器状の支持材１０２の側面に、外リブ１２８を備えた構成である。
また、係る外リブ１２８は、ずれ防止部１１０としての突起が設けられており、錐台筒４１がずれ難い構成となっており、錐台筒４１を設ける際に、下にずれ難い構成である。
例えば、係る円筒の容器形状を図１９（ｃ）に示されるような構成に示されるような、ペン立てとしても良い。
係る構成においては、円筒の容器形状の側面の外面に、外リブ１２８が設けられており、係る外リブ１２８の外側には、ずれ防止部１１０としての突起が設けられており、係るずれ防止部１１０に留められるようにして、錐台筒４１が４段に設けられている構成であり、係る構成の本発明における多用途用収納ユニット１に、収納物として、６本の鉛筆が収容されている。
係る構成により、長い鉛筆も、短い鉛筆も取り出し易く収容でき、通常の筒のみのペン立てだと、筒の中に埋もれて非常に取り出し難い短い鉛筆や、消しゴムなども取り出し易いペン立てとなり、有用である。特に、本構成においては、開口入口部１２が斜めに設けられた錐台筒４１でもあり、鉛筆が斜めに収容可能であるので、取り出し易く、収容し易く、有用である。
また、最下段のずれ防止部１１０の突起には、錐台筒４１が選択的に設けられておらず、例えば、小さい消しゴムなども、下から取り出し可能な構成であり、必要に応じて、様々な構成にアレンジ可能で有用である。
尚、係るずれ防止部１１０は、必要に応じて、設けない構成としても良い。
例えば、係る錐台筒４１を、更に長く、大きな錐台筒４１を設けるようなアレンジの構成として更に違う形状やサイズの収容物を収容可能としたり、収容量を増やすような構成としても良いし錐台筒４１の色を変えたりしても良く、様々なバリエーションが可能で、有用である。
【０１７４】
また、係る錐台筒４１円筒の容器状の支持材１０２の形状も、本図においては寸胴な円筒状であるが、係る外形は、曲面でも良いし、斜めでも良く、その他、本願発明の特徴的な効果が発揮される範囲において変更することが可能であり、限定しない。
【０１７５】
また、本構成においては、ずれ防止部１１０が、６段に渡って設けられており、必要に応じて、必要な高さに、必要な数だけ錐台筒４１を設けることが可能である。
尚、この様に、錐台筒４１の係止する高さを選択的に設けることが可能な構成とする為には、係る錐台筒４１は、例えば、図５に示されるような支持挿入穴４９の内径が可変な構成の錐台筒４１を設ける構成にするか、係る支持材１０２を、下側に広がる形状にして、違う支持挿入穴４９の内径の錐台筒４１あるいは、筒状体４８を設けることが可能な構成とすることが望ましい。
尚、係る円筒の容器状の形状の支持材１０２は、図面には示されていないが、下側に広がる末広がりの形状、例えば、錐形状、あるいは、錐台状の容器状としても良い。
【０１７６】
尚、係る、支持材に構成可撓部材を巻いた状態で設けられ、係る支持材と係る構成可撓部材との間が収納空間になる構成の支持材において、図１９の例における、係る外形が円柱形状の支持材である、柱状芯材の形状は、角柱形状でも、ハート形状でも星形状でも良く、また、中空でも良く、その他、本願発明の特徴的な効果が発揮される範囲において変更することが可能であり、限定しない。
【０１７７】
図２０は、構成可撓部材１０によって構成される開口入口部１２が、係る構成可撓部材１０に切り込みを入れることによって形成され、係る開口入口部１２は、係る開口入口部１２の下シート上辺９が、該開口入口部１２において対向して、該開口入口部１２を形成する上シート対向部８となる上シート下辺７よりも長く、あるいは弛んだ状態であることにより、該開口入口部１２を、閉じ難く開口可能であることにより、収納空間１４内の収納物によって、構成可撓部材１０の背面から圧力がかかっていても、前記開口入口部１２が閉じ難い、本発明における多用途用収納ユニット１の説明図である。
【０１７８】
図２０（ａ）は、係る構成可撓部材１０に切り込みを入れた状態の正面図であり、構成可撓部材１０に、１２か所の切り込みを設けられており、係る切り込み部が、開口入口部１２を構成するものとなる。
【０１７９】
図２０（ｂ）は、図２０（ａ）の１２か所の切り込み部において、係る上シート対向部８となる上シート下辺７において、係る上シート下辺７の一部を折り曲げてタック加工をしたタック加工部１９０を設けるか、一部を縦方向に切り込んで、係る縦方向に切り込んだ部分を重複させて係止することによって、上シート下辺７ の長さを短くしたカットタック部１９１を設けた開口入口部１２を備えた構成の構成可撓部材１０の正面図である。
【０１８０】
図２０（ｃ）は、図２０（ｂ）の開口入口部１２の１つについて、係る開口入口部１２を上下に広げた状態を示しており、上シート下辺７が、係る加工をされている構成を示しており、上シート下辺７の一部を折り曲げてタック加工をするタック加工部190を設けるか、一部を縦に切り込んで、係る縦に切り込んだ部分を重複させて係止されたカットタック部191を設けた構成を示している。
このように、上シート下辺７を短くする加工を施した構成とすることによって、図２０（ｄ）または図２０（ｅ）または図２０（ｆ）に示される様に、下シート上辺９が、上シート下辺７より長くなることによって、下シート上辺９が弛みを備えることが可能となり、上シート下辺７がピンと張った状態においても、下シート上辺９が、上シート下辺７より前に出た状態で、係る開口入口部１２の開口状態を保持でき、例えば、収納空間１４に収納された収納物から、係る構成可撓部材１０に内側から圧力が掛かっても、係る開口入口部１２の開口状態を保持可能な構成となり、収容物を収容し易く、また、植物を係る開口入口部１２から植栽した際にも、係る収容空間の培養基材３４からの圧力によって開口入口部１２の開口状態を保持可能で、有用である。
【０１８１】
図２０（ｄ）は、係るタック加工の例の上面からの部分断面図であり、開口入口部１２の上シート下辺７の略中央で織り込み、係る折り込んだ部分を、互いに係止することによって、タック加工部１９０とし、上シート下辺７が、下シート上辺９と比較して短くなり、下シート上辺９が、長くなることによって、ピンと張った状態の上シート下辺７よりも下シート上辺９が弛みが出て、前に出て、開口入口部１２が上方方向に開口状態を保持可能となる構成である。
【０１８２】
図２０（ｅ）は、図２０（ｄ）のタック加工部１９０を、係る開口入口部１２の端に設けた構成の例であり、左側のタック加工部１９０は、織り込んだ構成可撓部材１０を、切り込んで設けられた開口入口部１２の略端で係止することによって、係る切り込みによって設けられた開口入口部１２の端の強度を、補助している構成の例であり、切り込まれて弱くなった係る切り込みの端の強度アップとなり、有用である。
【０１８３】
図２０（ｅ）は、図２０（ｄ）のタック加工部１９０を、織り込まず、カットし、係るカットした部分を重ねて互いに係止した、カットタック部１９１によって、タック加工部１９０と同等の効果を備えた構成の例である。
係るタック加工部１９０またはカットタック部１９１を設ける構成は、図２１で示される、下シート上辺９を加工する構成と比較して、加工が容易で、加工コストを削減でき、また、係る開口入口部１２に収納物を収納した際には、係る収納物に隠れる部分であるので、外観的にも比較的目立たず、装飾的にも有用である。
尚、係る開口入口部１２を構成する切り込みは、本図においては、略水平方向であるが、斜め方向でも良いし、または鉛直方向でも良いが、本図の説明においては、水平方向の切り込みの構成にて、説明するものである。
【０１８４】
図２１は、図２０の構成が、上シート下辺７を加工して短くした構成であるのに対して、下シート上辺９を加工して長くした構成の例の説明図である。
【０１８５】
図２１（ａ）は、図２０（ａ）の１２か所の切り込み部において、構成可撓部材１０によって構成される開口入口部１２が、係る構成可撓部材１０に切り込みを入れることによって形成され、係る開口入口部１２は、係る開口入口部１２の下シート上辺９が、該開口入口部１２において対向して、該開口入口部１２を形成する上シート対向部８となる上シート下辺７よりも長く、あるいは弛んだ状態であることにより、該開口入口部１２を、閉じ難く開口可能であることにより、収納空間１４内の収納物によって、構成可撓部材１０の背面から圧力がかかっていても、前記開口入口部１２が閉じ難い、本発明における多用途用収納ユニット１であり、係る下シート上辺９の一部をカットして、開いて、上辺切開部１０９を設け、係る上辺切開部に、構成可撓部材１０である当てシート２００を係止することによって、該開口入口部１２において対向して、該開口入口部１２を形成する上シート対向部８となる上シート下辺７よりも長く、あるいは弛んだ構成となっている。
【０１８６】
図２１（ｂ）は、図２０（ａ）の切り込み部の１つについての説明図であり、上シート下辺７の一部に切り込みを入れて、上辺切開部１０９を設け係る切り込み上辺切開部１０９と、開口入口部１２を開いた状態を示している正面図であり、係る切り込み部が開いた状態で当てシート２００を係止することによって、下シート上辺９が、上シート下辺７より長く構成されるものである。
【０１８７】
図２１（ｃ）は、係る図２１（ｂ）の様に、下シート上辺９の一部に切り込みを入れて、係る切り込み部を開いた状態で、外から当てシート２００を設けた構成を示している。
【０１８８】
図２１（ｄ）は、図２１（ｃ）が、外から当てシート２００を設けた構成であるのに対して、内側から当てシート２００を設けた構成の例を示しており、係る構成においては、図に示される様に、係る当てシート２００の上部だけを係止する構成としても良く、外側から当てシート２００を設ける構成と比較して、加工が容易である。
【０１８９】
図２１（ｅ）は、図２１（ｃ）の構成の上面からの部分断面図を示しており、上シート下辺７が、下シート上辺９と比較して短くなり、下シート上辺９が、長くなることによって、ピンと張った状態の上シート下辺７よりも下シート上辺９が弛みが出て、前に出て、開口入口部１２が上方方向に開口状態を保持可能となる構成を示しているものである。
【０１９０】
図２２は、基台支持ユニット４０の構成の説明図であり、基台支持ユニット４０に係る構成可撓部材１０を係止して多用途用収納ユニット１を構成する例である。
【０１９１】
図２２（ａ）は、基台支持ユニット４０の構成の例であり、係る基台支持ユニット４０は、１方向以上が開口している容器状または半容器状であり、係る構成可撓部材１０を係る開口部に設けることによって、１つの多用途用収納ユニット１とするものである。
図２２（ａ）は、係る構成の例であり、方形の容器の前面と上面が開放である基台支持ユニット４０の前面側の開口部の周囲に、構成可撓部材１０を係止する為の支持留め部３１が設けられている構成である。
また、向かい側の面の内側には、受け部６が設けられている。
【０１９２】
図２２（ｂ）は、係る基台支持ユニット４０の前面の開口部の支持留め部３１に、図２０に示される構成可撓部材１０が紐状体で係止されており、係る構成によって、例えば、係る構成可撓部材１０の背面部を、培養基材３４を収容可能な収納空間１４とし、係る構成可撓部材１０の前面から、植栽可能となる構成の例である。
係る構成によって、より、がっちりとした安定感のある多用途用収納ユニット１とすることができ、特に、背の高い多用途用収納ユニット１としたい時などにおいて、強度を持たせた構成となり、有用である。
また、壁等に建造物として係る基台支持ユニット４０を作りつけることによって、壁面の緑化や野菜等を植える簡易菜園とすることもできる。
【０１９３】
尚、係る支持留め部３１は、穴でも良いし、ホックでも、ファスナーでも、面ファスナーでも、ネジでも、フックでも、構成可撓部材１０を板等で挟み込む挟持部を設ける構成でも良く、また、紐や結束バンド、接着、融着でも良く、その他、本発明の技術的思想の範囲内、即ち、同一の作用効果を発揮できる範囲内で変更することができるものである。
基台支持ユニット４０は、構成可撓部材１０の背面あるいは内側に設けられて、構成可撓部材１０との間に収納空間１４を構成するものである。
また、基台支持ユニット４０に設けられる構成可撓部材１０は、図１に示される構成可撓部材でも良い。
【０１９４】
尚、係る基台支持ユニットについて、係る材質は、コンクリート、金属、木、網、石、硬質ゴムなどのゴム、陶磁器、ポリプロピレンや、ポリエチレン、ポリアミド等の合成樹脂、その他、収納物を収納しても、少なくとも壊れず、自立可能な程度の強度を備えた材質であれば良く、また、その形状も、係る、構成可撓部材を設けて、係る構成可撓部材と、係る基台支持ユニットとの間に収納空間を設けることが可能である形状であれば良く、板材でも、筒、円柱、角柱、錐体、錐台、半容器でも良く、その他、本発明と同一の作用効果を発揮できる範囲内で限定しない。
【０１９５】
図２３は、円錐状の支持材１０２である三角コーンにて構成される本発明に係る多用途用収納ユニット１を支持材１０２ごと持ち運び可能な構成に関する説明図である。
本発明に係る三角コーンに代表される略錐形状の支持材１０２において、収納物を収納して重くなった場合、例えば、植栽容器とした構成とした場合に、把手３９等の下側から支えて持ち運びのできる部分が必要となり、有用である。
【０１９６】
図２３（ａ）は、係る把手３９の例の部分断面図であり、本発明に係る支持材１０２が三角コーンに代表される錐形状である構成の上部に、係る三角コーンに代表される支持材１０２の内部の中空部である支持中空部２２０に貫通された穴に、係る把手３９が、係る把手３９の一部を挿入されて、係る把手３９の一部に、係る穴からの抜け防止部２２１を備えて設けられ、着脱リブ１３９も合わせて設けられた構成の例である。
【０１９７】
図２３（ｂ）は、図２３（ａ）の斜視図であり、かかる三角コーンには、係る把手３９と着脱リブ１３９が設けられた構成である。
図２３（ｃ）は、係る把手３９が球形状、図２３（ｄ）は、係る把手３９が棒形状、図２３（ｅ）は、把手３９兼案内表示板である構成の例である。
【０１９８】
尚、図２３の着脱リブについては、 リブ留め部は、省略している。
【０１９９】
尚、以下、一連の本図の実施の形態において、
構成可撓部材１０または、基台シート３０の素材は、可とう性を有したシート状で、テント生地やメッシュ生地等の布状部材、他各種繊維素材、各種ゴムやエラストマー樹脂や各種樹脂シート製、綿、麻等の天然素材、紙製、マグネットシート、金属メッシュ等金属、また、色も透明、蛍光、光っても良く、その他、必要に応じた強度、機能を有し、本発明と同一の作用効果を発揮できる範囲内でその素材を限定しない。また、有機ＥＬや無機ＥＬに代表される可撓性のある電子表示シートを一部または全部に用いることによって、光の活用や、収納物を表示する構成にすれば、整理整頓にも好適である。
【０２００】
また、構成可撓部材１０または、基台シート３０の形状も、多角形、丸、楕円、球状、あるいは部分球状等の曲面状、その他異形でも、長さ、大きさ違いの組み合わせ違いでもよく、その形状を限定せず、また、厚さも、本発明と同一の作用効果を発揮できる範囲内で限定しない。
【０２０１】
また、各図において、錐台筒４１あるいは筒状体４８または構成ピース１９または構成可撓部材１０で説明している内容において、あくまでも、説明の一例としてそれぞれの、錐台筒４１あるいは筒状体４８または構成ピース１９または構成可撓部材１０で説明しているにすぎず、それぞれの構成において、錐台筒４１あるいは筒状体４８または構成ピース１９または構成可撓部材１０は互いに変更して応用可能である。
【０２０２】
また、各図の説明、あるいは図において、構成可撓部材１０あるいは、構成ピース１９あるいは、錐台筒４１あるいは筒状体４８が、隣り合って設けられる構成が、それぞれが互いに重複して設けられる様に示されている図あるいは説明、あるいは、重複せずに設けられる構成にて示されている図あるいは説明において、説明上、便宜的にどちらかの構成のみで説明しているに過ぎず、それぞれの図において、構成可撓部材１０あるいは、構成ピース１９あるいは、錐台筒４１あるいは筒状体４８が、隣り合って設けられる構成は、互いに重複して設けられていても良いし、重複せずに設けられていても良い。
【０２０３】
また、係止部２０あるいは分割係止部２１あるいは係止支持部３１は、図面に表記していないものも、必要に応じて、必要な個所に設ける構成が可能であり、また、それぞれの係止方法は、接着、融着、縫製、結束、ピン止め、ボタン止め、面ファスナー止め、磁石、ステープラー等、本発明と同一の作用効果を発揮できる範囲内でその係止手段を限定しない。
【０２０４】
また、係止部２０、分割係止部２１、係止支持部３１は、着脱可能に係止してもよく、着脱可能な係止手段は、ホック、ボタン、面ファスナー、フック、磁石、紐、ファスナー等、本発明と同一の作用効果を発揮できる範囲内でその係止手段を限定しない。着脱可能な構成とすることにより、必要に応じて構成可撓部材１０のサイズや材質を選択可能となり、有用である。
【０２０５】
また、帯状の構成可撓部材１０を螺旋状に巻く構成で説明した図においても、構成可撓部材１０を重畳的に重ねた構成で説明した図においても、それぞれ互いに同様の構成で実施してもよい。
【０２０６】
また、錐台筒４１または筒状体４８は、可撓性でなく、より剛性の高い、あるいは、高弾性の素材としても良い。
【０２０７】
また、一連の図面には無いが、係る支持材１０２は、係る錐台筒４１または筒状体４８を係る錐台筒４１または筒状体４８の外側から支える構成としても良い。
【０２０８】
また、一連の図面には無いが、図１または、図２または、図３または、図４または、図５または、図２０、または図２１の構成の構成可撓部材１０が支持材に設けられる構成としても良く、また、係る支持材は、収納空間に挿入して、収納空間の内側から支持しても良いし、構成可撓部材１０の外側から支持する構成としても良い。
【０２０９】
また、係る支持材１０２には、設けた構成可撓部材１０や、構成ピース１９や、錐台筒４１や筒状体４８のずれ防止として、凹凸形状や、段差を設けても良いし、波形状としても良く、本願発明の特徴的な効果が発揮される範囲において変更することが可能であり、限定しない。
【０２１０】
また、 錐台筒４１または、筒状体４８にタック可能な係止部２０が備えられていても良い。
【０２１１】
また、溝部１２９は、複数の外リブ１２８または、着脱リブ１３９または筒一体スペーサー部１４９の間に形成される空間としてもよく、係る空間は、構成可撓部材１０の背面あるいは内側において形成される中空領域１１である収納空間１４を形成するものであるとしても良い。
【０２１２】
また、各図中の説明にある三角コーンは、一般的呼称として、ロードコーン、セーフティーコーン、ラバーコーンなどと呼称されるものであり、主には、合成樹脂やラバーで成形された空洞の略円錐形状であり、中には、角錐や頂点に穴を備えた形状の構成もあるものである。
【０２１３】
また、本発明に係る構成可撓部材である、筒状体（４８）または、錐台筒（４１）または、錐台展開または、筒状展開を、まとめて、収納筒材と呼称することとする。
【０２１４】
また、各図面には記載していない図においても、１以上の係止部２０あるいは係止支持部３１あるいは分割係止部２１を設けても良い。
また、支持材１０２は、平行でなくても良いし、曲がっていても良い。
また、支持材１０２の材質は、木や、アルミニウム、鉄等の金属、ポリプロピレン、ポリアミド等の樹脂、生地、石、陶磁器、カーボン、布状、網状等、その他本発明の範囲内でその種類を限定せず、必要な強度を満足可能な材質が望ましく、同様に、支持材１０２の形状についても、円柱、多角柱、筒状、鎖状、紐状、ワイヤー状、布状でも、その他本発明の範囲内でその種類を限定しない。
【０２１５】
また、支持材１０２が設けられる位置についても、本図においては、収納空間１４に設けているが、構成可撓部材１０の外側に設けても良いし、開口入口部１２も挿通する構成としても良く、その他本発明の範囲内でその位置、支持手段を限定しない。
【０２１６】
また、基台シート３０は、発泡材、軟質材、マグネット板、マグネットシート、自己吸着シート、コルク、高摩擦部材、多穴部材、凹凸部材等によって、構成可撓部材１０の背面で、挿入された収納物を保持する上で、有用である。
【０２１７】
また、錐状芯材または柱状芯材について、係る材質は、コンクリート、金属、木、網、石、硬質ゴムなどのゴム、陶磁器、ポリプロピレンや、ポリエチレン、ポリアミド等の合成樹脂、その他、収納物を収納しても、少なくとも壊れず、自立可能な程度のソリッドな材質であれば良く、その他、本発明と同一の作用効果を発揮できる範囲内で限定しない。
【０２１８】
また、図面には示されていないが、支持材を、柵としても良く、例えば、係る支持材としての柵の構成は、垂直方向に平行に設けられた複数の柵の支柱を支持材とし、係る複数の柵の支柱に、またぐ様に、上記、一連の本図に示されるいずれかの形態の構成可撓部材１０を橋架して巻くようにして設けても良く、係る構成によって、柵を収納部として使用することも可能で、大きな収納スペースの創出が可能であり、また、係る構成の植栽用のユニットとすることにより、家や店舗の外周に、スペースを取らない緑花スペースを作り出すことが可能となり、緑化の装飾や、ちょっとした省スペースの家庭菜園もでき、有用である。
また、係る柵の支柱を、下に末広がりに、例えば、下に広がる扇状に設けることにより、構成可撓部材１０が、収納物の重量で下にずれることを防止でき、有用である。
また、係る柵の支柱に、ずれ防止部１１０を備えても同様に、構成可撓部材１０が、収納物の重量で下にずれることを防止でき、有用である。
【産業上の利用可能性】
【０２１９】
本願発明は、長さの違う物品の収納も、取り出し易く収納でき、また、植物の装飾を自在に出来ることから、各種イベントの装飾をはじめ家庭用ガーデニング用品としても魅力的な発明品であり、産業上利用可能性は極めて高いと思慮されるものである。
【符号の説明】
【０２２０】
１      多用途用収納ユニット
６          受け部
７        上シート下辺
８        上シート対向部
９           下シート上辺
１０      構成可撓部材
１１       中空領域
１２      開口入口部
１４      収納空間
１５      重なり合う領域
１７      水抜き穴
１９      構成ピース
２０       係止部
２１      分割係止部
２７         ピース側辺
２８      ピース下辺
２９      ピース上辺
３０       基台シート
３１      支持留め部
３２      芯材
３４       培養基材  
３５      根 
３９       把手
４０      基台支持ユニット
４１  錐台筒
４２ 錐台展開
４３ 重複係止部
４７ 外形縁
４８         筒状体
４９  支持挿入穴
６０ 支持底
６１       カナメ部
６２ 支持可撓材
６３ 支持アダプター
69   R筒台
７９       支持用支柱
１０２     支持材
１０８     下辺タック部
１０９     上辺切開部
１１０       ずれ防止部
１２８     外リブ
１２９       溝部
１３６    回動可能部
１３７     リブ部材
１３８    リブ留め部
１３９      着脱リブ
１４８     補強橋架部
１４９     筒一体スペーサー部
１５４     径調アダプター
１５５     径調挿入穴
１５６     ベルト棒
１５7      ベルト穴
１５８    筒載置部
１５９  内径可変部
１６３     筒位置係止具
１６４     足留め部
１６５     追加穴足
１６６     穴切り足
１６７    穴切り部
１６９    巻止め部材
１７１     ハチマキ受け
１９０    タック加工部
１９１    カットタック部
２００    当てシート
２２０    支持中空部
２２１    抜け防止部
Ｓ１    収納物・収容物（文具等小物雑貨）
Ｓ２   収納物・収容物（植物）
【図１】
2020089356.tif 000003
【図２】
2020089356.tif 000004
【図３】
2020089356.tif 000005
【図４】
2020089356.tif 000006
【図５】
2020089356.tif 000007
【図６】
2020089356.tif 000008
【図７】
2020089356.tif 000009
【図８】
2020089356.tif 000010
【図９】
2020089356.tif 000011
【図１０】
2020089356.tif 000012
【図１１】
2020089356.tif 000013
【図１２】
2020089356.tif 000014
【図１３】
2020089356.tif 000015
【図１４】
2020089356.tif 000016
【図１５】
2020089356.tif 000017
【図１６】
2020089356.tif 000018
【図１７】
2020089356.tif 000019
【図１８】
2020089356.tif 000020
【図１９】
2020089356.tif 000021
【図２０】
2020089356.tif 000022
【図２１】
2020089356.tif 000023
【図２２】
2020089356.tif 000024
【図２３】
2020089356.tif 000025
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
収納筒材は、上側と下側に開口部を備えた筒状の筒状体（４８）、または上側と下側に開口部を備えた錐台形状の錐台筒（４１）である、収納用のユニットを構成する部材であり、
前記筒状体（４８）または錐台筒（４１）は、可とう性を有する略シート状の素材から成る、開口入口部（１２）と支持挿入穴（４９）を備えた１以上の構成可撓部材（１０）であり、
前記上側の開口部を開口入口部（１２）とし、前記下側の開口部を支持挿入穴（４９）とし、
前記収納筒材は、前記支持挿入穴（４９）に、支持材が挿入されて設けられることによって、前記開口入口部（１２）から収容物（Ｓ１・Ｓ２）が収容される収納用のユニットを構成し、
前記支持挿入穴（４９）には、支持挿入穴（４９）の一部または全部に設けられた穴切り部（１６７）からなる穴切り足（１６６）、あるいは別部材の可撓性部材が係止された追加穴足（１６５）、あるいは支持材（１０２）にずれを抑制するために係止可能とする筒位置係止具（１６３）、あるいは前記支持挿入穴（４９）に設けられた凸部または凹部である筒一体スペーサー部（１４９）を備えたことを特徴とする収納筒材。
【請求項２】
前記錐台筒（４１）が、一部を折り曲げてタック加工することによって重複して係止されることにより径の調整が可能である重複係止部（４３）を備えているか、または、前記開口入口部（１２）から、前記支持挿入穴（４９）まで着脱可能に分割可能であることによって、一部を重複して係止可能な重複係止部（４３）を備えていることを特徴とする請求項１に記載の収納筒材。
【請求項３】
収納筒材は、上側と下側に開口部を備えた錐台形状の錐台筒（４１）である収納用のユニットを構成する部材であり、前記錐台筒（４１）は、可とう性を有する略シート状の素材から成る、開口入口部（１２）と支持挿入穴（４９）を備えた１以上の構成可撓部材（１０）であり、
前記錘台筒（４１）は、錐台展開（４２）から構成され、
前記上側の開口部を開口入口部（１２）とし、前記下側の開口部を支持挿入穴（４９）とし、
前記収納筒材は、前記支持挿入穴（４９）に、支持材が挿入されて設けられることによって、前記開口入口部（１２）から収容物（Ｓ１・Ｓ２）が収容される収納用のユニットを構成し、
前記開口入口部（１２）が、前記支持挿入穴（４９）よりも大きく、
前記開口入口部（１２）は、ピース上辺（２９）によって構成される略円形であり、前記開口入口部（１２）の略円形は、略同一面上に形成されることが可能であり、
前記錐台展開（４２）は、
略部分円状あるいは略円状であり、前記部分円状あるいは円状の略中心部に略部分円状または略円状の穴である支持挿入穴（４９）が設けられており、
前記略部分円状あるいは略円状の外側の円を外形縁（４７）とし、
重複係止部を備え、前記重複係止部において、前記錐台展開を構成する構成可撓部材を重複して係止することによって、支持挿入穴（４９）あるいは開口入口部（１２）の径を可変とすることによって、外径の違う支持材にも対応して設けることが可能で、また、前記開口入口部（１２）の面を略水平に保持したまま該開口入口部（１２）のみの径の変更も可能であり、
前記部分円状の錐台展開（４２）においては、前記部分円状の外形縁（４７）から、支持挿入穴（４９）に渡って設けられた切り込み部が構成する２つの辺を、ピース側辺（２７）とし、
前記ピース側辺（２７）から、前記錐台展開（４２）の一部を互いに重複させることによって、前記重複係止部とし、
前記円状の錐台展開（４２）においては、円状の外形縁（４７）から、支持挿入穴（４９）に渡って、
折り込みを入れた重複部を係止する、タック加工をすることによって、前記重複係止部としたことを特徴とする収納筒材。